(57)【要約】【課題】発電プラントがＬＣＯを逸脱するか否かを判断する際に、発電プラントの全体の運転状態を俯瞰することができる発電プラントの運転管理支援装置を提供すること。【解決手段】発電プラントの運転管理支援装置は、保安規定情報格納部に格納された保安規定情報の項目を集約し、保安規定情報抽出部が抽出した保安規定情報の項目を識別可能に表示した第１表示画面４０と、第１表示画面４０において実行される保安規定情報の項目の選択操作に応じて、選択された保安規定情報に関連し、発電プラントの運転パラメータを含む個別の詳細な確認項目と、確認項目に基づくＬＣＯ逸脱の判定結果と、を表示した第２表示画面５０と、選択された保安規定情報においてＬＣＯから逸脱している旨の判定結果が出されている場合、ＬＣＯからの逸脱の状況に応じた要求措置を表示した第３表示画面７０と、を表示する表示部を備える。【選択図】図２
2020061096.tif 000002
【特許請求の範囲】
【請求項１】
発電プラントの運転管理を支援する発電プラントの運転管理支援装置であって、
前記発電プラントの保安規定に関連する保安規定情報を格納する保安規定情報格納部と、
前記発電プラントの運転条件の制限を逸脱していると判定された前記保安規定に関連する前記保安規定情報を抽出する保安規定情報抽出部と、
前記保安規定情報抽出部が抽出した前記保安規定情報及び前記保安規定情報に関連する前記発電プラントの運転パラメータを表示する表示部と、
を備え、
前記表示部は、
前記保安規定情報格納部に格納されている前記保安規定情報の項目を集約し、前記保安規定情報抽出部が抽出した前記保安規定情報の項目を識別可能に表示した第１表示画面を表示し、
前記第１表示画面において実行される前記保安規定情報の前記項目の選択操作に応じて、選択された前記保安規定情報に関連し、前記発電プラントの運転パラメータを含む個別の詳細な確認項目と、前記確認項目に基づく前記運転条件の制限の逸脱の判定結果と、を表示した第２表示画面を表示し、
前記選択された前記保安規定情報において前記運転条件の制限から逸脱している旨の前記判定結果が出されている場合、前記運転条件の制限からの逸脱の状況に応じた要求措置を表示した第３表示画面を表示する、
ことを特徴とする発電プラントの運転管理支援装置。
【請求項２】
前記保安規定情報の項目は、前記保安規定の条文番号であることを特徴とする請求項１に記載の発電プラントの運転管理支援装置。
【請求項３】
前記表示部は、さらに、前記第１表示画面において実行される操作に応じて、前記運転条件の制限を逸脱しない通常時の対応項目を集約して表示した第４表示画面を表示することを特徴とする請求項１または請求項２に記載の発電プラントの運転管理支援装置。
【請求項４】
前記保安規定情報抽出部は、前記保安規定に基づく運転条件の制限を逸脱していると判定された場合、前記保安規定情報として、前記運転条件の制限の逸脱に関連する前記保安規定の条文を抽出し、
前記表示部は、前記運転条件の制限の逸脱の根拠として前記条文をさらに表示する、
ことを特徴とする請求項１から請求項３のいずれか１項に記載の発電プラントの運転管理支援装置。
【請求項５】
前記保安規定情報抽出部は、前記保安規定に基づく運転条件の制限を逸脱していると判定された場合、前記保安規定情報として、前記運転条件の制限の逸脱に直接関連する前記保安規定の条文に併せて、前記運転条件の制限の逸脱の結果として派生して関連する前記保安規定の条文を抽出し、
前記表示部は、前記運転条件の制限の逸脱の根拠としての前記保安規定の条文に併せて、前記運転条件の制限の逸脱の結果として派生する根拠としての関連の前記保安規定の条文をさらに表示する、
ことを特徴とする請求項４に記載の発電プラントの運転管理支援装置。
【請求項６】
前記保安規定情報抽出部は、前記保安規定に基づく運転条件の制限を逸脱していると判定された場合、前記保安規定情報として、前記運転条件の制限の逸脱に関連する前記保安規定の条文を抽出し、
前記運転条件の制限の逸脱についての許容待機除外時間における、前記発電プラントの全体についての前記運転条件の制限に対する判定結果または逸脱状態、前記発電プラントの一部についての前記運転条件の制限に対する判定結果または逸脱状態、もしくは、前記要求措置に基づく対応をした前記発電プラントについての前記運転条件の制限に対する判定結果または逸脱状態を、自動的に記録することを特徴とする請求項１から請求項５のいずれか１項に記載の発電プラントの運転管理支援装置。
【請求項７】
前記運転条件の制限を逸脱しない通常時において、保安規定情報格納部に格納された定期確認時間を読み込み、前記定期確認時間ごとに自動的に前記発電プラントの状態を記録することを特徴とする請求項１から請求項６のいずれか１項に記載の発電プラントの運転管理支援装置。
【請求項８】
発電プラントの運転管理を支援する発電プラントの運転管理支援装置により実行される発電プラントの運転管理支援方法であって、
前記発電プラントの運転条件の制限を逸脱していると判定された前記発電プラントの保安規定に関連する保安規定情報の項目を抽出する抽出ステップと、
前記発電プラントの保安規定に関連する保安規定情報の項目を集約する集約ステップと、
前記集約ステップで集約した前記保安規定情報の項目を表示するとともに、前記抽出ステップで抽出した前記保安規定情報の項目を識別可能に表示した第１表示画面を表示する第１表示画面表示ステップと、
を有することを特徴とする発電プラントの運転管理支援方法。
【請求項９】
前記第１表示画面において実行される前記保安規定情報の前記項目の選択操作に応じて、選択された前記保安規定情報に関連し、前記発電プラントの運転パラメータを含む個別の詳細な確認項目と、前記確認項目に基づく前記運転条件の制限の逸脱の判定結果と、を表示した第２表示画面を表示する第２表示画面表示ステップと、
をさらに有することを特徴とする請求項８に記載の発電プラントの運転管理支援方法。
【請求項１０】
前記選択された前記保安規定情報において前記運転条件の制限から逸脱している旨の前記判定結果が出されている場合、前記運転条件の制限からの逸脱の状況に応じた要求措置を表示した第３表示画面を表示する第３表示画面表示ステップと、
をさらに有することを特徴とする請求項９に記載の発電プラントの運転管理支援方法。
【請求項１１】
前記第１表示画面において実行される操作に応じて、前記運転条件の制限を逸脱しない通常時の対応項目を集約して表示した第４表示画面を表示する第４表示画面表示ステップと、
をさらに有することを特徴とする請求項８から請求項１０のいずれか１項に記載の発電プラントの運転管理支援方法。
【発明の詳細な説明】
【技術分野】
【０００１】
本発明は、発電プラントの運転管理支援装置に関する。
【背景技術】
【０００２】
原子力プラントは、異常または事故が発生した際に、原子炉を安全に停止させたり、炉心の保護や、外部への放射性物質の拡散を防止したりするための設備を起動させる機能をもつ制御装置が設置されている。また、原子力プラントは、原子力プラントにおける諸規則をまとめた保安規定に基づく運転条件の制限、すなわちＬＣＯ（Limiting  Condition  of  Operation）が設けられている。原子力プラントの異常または事故の原因を究明し、適切な保全作業をする際に、原子力プラントの運転員及び保守官等の多数の関係者が、ヒューマンエラーによって抵触してしまう可能性のあるＬＣＯに関する情報を表示する装置が知られている（例えば、特許文献１）。
【先行技術文献】
【特許文献】
【０００３】
【特許文献１】特開２０１２−１２８６７４号公報
【発明の概要】
【発明が解決しようとする課題】
【０００４】
原子力プラントに異常または事故が発生した際には、定められた時間内に異常または事故の原因となっている故障の原因の究明を行い、原子力プラントの安全に係る機能への影響を確認し、原子力プラントがＬＣＯを逸脱するか否かを判断する必要がある。また、原子力プラントがＬＣＯを逸脱した場合には、ＬＣＯを逸脱した旨の宣言をし、原子力プラントを予め定められた時間以内に動作可能な状態に復旧させるか、または、復旧が困難である場合には、原子力プラントを緊急停止させるなどの手段で対応する必要がある。
【０００５】
原子力プラントがＬＣＯを逸脱するか否かを判断するためには、原子力プラントの制御装置の構成及びデータ処理に係る知見が求められるとともに、原子力プラントに関する多くの資料を確認する必要がある。このため、原子力プラントがＬＣＯを逸脱するか否かを判断することは、身体的な負担が高く、対応手順が複雑であるので、原子力プラントの運転員及び保守官等の多数の関係者にとって、大きな負担がある。
【０００６】
そこで、特許文献１の装置では、ヒューマンエラーによって抵触してしまう可能性のあるＬＣＯに関する情報を取得することができるが、原子力プラントがＬＣＯを逸脱するか否かを判断する際に、原子力プラントの全体の運転状態を俯瞰することはできないという問題があった。このため、特許文献１の装置では、原子力プラントにおいて複数の異常または事故が併発した場合、一部の異常または事故を見落としてしまう可能性があったり、具体的に原子力プラントがどのＬＣＯを逸脱したかを判断することが困難になってしまったりして、対応に苦慮するという問題があった。
【０００７】
また、原子力プラント以外の発電プラント、例えば火力プラントにおいても、諸規則をまとめた保安規定に基づく運転条件の制限、すなわちＬＣＯ（Limiting  Condition  of  Operation）が設けられている。これらの原子力プラント以外の発電プラントについても、発電プラントが原子力プラントと同様のＬＣＯを逸脱するか否かを判断する際に、発電プラントの全体の運転状態を俯瞰することはできないという問題があった。
【０００８】
本発明は、上記に鑑みてなされたものであって、発電プラントがＬＣＯを逸脱するか否かを判断する際に、発電プラントの全体の運転状態を俯瞰することができる発電プラントの運転管理支援装置を提供することを目的とする。
【課題を解決するための手段】
【０００９】
上記した課題を解決し、目的を達成するために、本発明の発電プラントの運転管理支援装置は、発電プラントの運転管理を支援する発電プラントの運転管理支援装置であって、前記発電プラントの保安規定に関連する保安規定情報を格納する保安規定情報格納部と、前記発電プラントの運転条件の制限を逸脱していると判定された前記保安規定に関連する前記保安規定情報を抽出する保安規定情報抽出部と、前記保安規定情報抽出部が抽出した前記保安規定情報及び前記保安規定情報に関連する前記発電プラントの運転パラメータを表示する表示部と、を備え、前記表示部は、前記保安規定情報格納部に格納されている前記保安規定情報の項目を集約し、前記保安規定情報抽出部が抽出した前記保安規定情報の項目を識別可能に表示した第１表示画面を表示し、前記第１表示画面において実行される前記保安規定情報の前記項目の選択操作に応じて、選択された前記保安規定情報に関連し、前記発電プラントの運転パラメータを含む個別の詳細な確認項目と、前記確認項目に基づく前記運転条件の制限の逸脱の判定結果と、を表示した第２表示画面を表示し、前記選択された前記保安規定情報において前記運転条件の制限から逸脱している旨の前記判定結果が出されている場合、前記運転条件の制限からの逸脱の状況に応じた要求措置を表示した第３表示画面を表示する、ことを特徴とする。
【００１０】
この構成によれば、表示部が、保安規定情報格納部に格納されている保安規定情報の項目を集約し、保安規定情報抽出部が抽出した保安規定情報の項目を識別可能に表示した第１表示画面を表示するため、発電プラントの全体の運転状態を俯瞰することができ、結果として、発電プラントに関する重要な情報の見落とし、及び、発電プラントに関する複数の情報による混乱を招くことを低減することができる。また、この構成によれば、表示部が、第１表示画面において実行される保安規定情報の項目の選択操作に応じて、選択された保安規定情報に関連し、発電プラントの運転パラメータを含む個別の詳細な確認項目と、確認項目に基づく運転条件の制限の逸脱の判定結果と、を表示した第２表示画面を表示し、また、選択された保安規定情報において運転条件の制限から逸脱している旨の判定結果が出されている場合、運転条件の制限からの逸脱の状況に応じた要求措置を表示した第３表示画面を表示するため、発電プラントの全体に対する位置付けを意識しながら、発電プラントの個別の詳細な情報及びＬＣＯ逸脱に関する情報を、適切に確認、判断及び対応を取ることができる。
【００１１】
この構成において、前記保安規定情報の項目は、前記保安規定の条文番号であることが好ましい。この構成によれば、発電プラントにおける諸規則をまとめた保安規定に直接対応付けて、発電プラントの全体の運転状態を俯瞰することを可能にする。
【００１２】
これらの構成において、前記表示部は、さらに、前記第１表示画面において実行される操作に応じて、前記運転条件の制限を逸脱しない通常時の対応項目を集約して表示した第４表示画面を表示することが好ましい。この構成によれば、発電プラントの全体に対する位置付けを意識しながら、運転条件の制限を逸脱しない通常時の対応項目を、適切に確認、判断及び対応を取ることができる。
【００１３】
これらの構成において、前記保安規定情報抽出部は、前記保安規定に基づく運転条件の制限を逸脱していると判定された場合、前記保安規定情報として、前記運転条件の制限の逸脱に関連する前記保安規定の条文を抽出し、前記表示部は、前記運転条件の制限の逸脱の根拠として前記条文をさらに表示する、ことが好ましい。この構成によれば、発電プラントの全体に対する位置付けを意識しながら、ＬＣＯ逸脱に関する詳細な情報を、ＬＣＯ逸脱の根拠となる関連する条文に基づいて、詳細に、適切に確認、判断及び対応を取ることができる。
【００１４】
保安規定情報として運転条件の制限の逸脱に関連する保安規定の条文を抽出し、条文と運転条件の制限の逸脱の根拠とをさらに表示する形態において、前記保安規定情報抽出部は、前記保安規定に基づく運転条件の制限を逸脱していると判定された場合、前記保安規定情報として、前記運転条件の制限の逸脱に直接関連する前記保安規定の条文に併せて、前記運転条件の制限の逸脱の結果として派生して関連する前記保安規定の条文を抽出し、前記表示部は、前記運転条件の制限の逸脱の根拠としての前記保安規定の条文に併せて、前記運転条件の制限の逸脱の結果として派生する根拠としての関連の前記保安規定の条文をさらに表示する、ことが好ましい。この構成によれば、発電プラントの全体に対する位置付けを意識しながら、ＬＣＯ逸脱に関する詳細な情報を、ＬＣＯ逸脱の根拠となる条文に加えて、ＬＣＯ逸脱の結果として派生する根拠となる関連の条文に基づいて、さらに詳細に、適切に確認、判断及び対応を取ることができる。
【００１５】
これらの構成において、前記保安規定情報抽出部は、前記保安規定に基づく運転条件の制限を逸脱していると判定された場合、前記保安規定情報として、前記運転条件の制限の逸脱に関連する前記保安規定の条文を抽出し、前記運転条件の制限の逸脱についての許容待機除外時間における、前記発電プラントの全体についての前記運転条件の制限に対する判定結果または逸脱状態、前記発電プラントの一部についての前記運転条件の制限に対する判定結果または逸脱状態、もしくは、前記要求措置に基づく対応をした前記発電プラントについての前記運転条件の制限に対する判定結果または逸脱状態を、自動的に記録することが好ましい。この構成によれば、発電プラントの全体に対する位置付けがわかる状態で関連条文と合わせてＬＣＯ逸脱に関する情報を記録することができるので、後から、発電プラントの全体に対する位置付けを意識しながら、ＬＣＯ逸脱について見直したり、類似例に対して活用したりすることができる。
【００１６】
これらの構成において、前記運転条件の制限を逸脱しない通常時において、保安規定情報格納部に格納された定期確認時間を読み込み、前記定期確認時間ごとに自動的に前記発電プラントの状態を記録することが好ましい。この構成によれば、発電プラントの全体に対する位置付けがわかる状態でＬＣＯから逸脱していない通常時における情報を記録することができるので、後から、発電プラントの全体に対する位置付けを意識しながら、見直したり活用したりすることができる。
【００１７】
また、上記した課題を解決し、目的を達成するために、本発明の発電プラントの運転管理支援方法は、発電プラントの運転管理を支援する発電プラントの運転管理支援装置により実行される発電プラントの運転管理支援方法であって、前記発電プラントの運転条件の制限を逸脱していると判定された前記発電プラントの保安規定に関連する保安規定情報の項目を抽出する抽出ステップと、前記発電プラントの保安規定に関連する保安規定情報の項目を集約する集約ステップと、前記集約ステップで集約した前記保安規定情報の項目を表示するとともに、前記抽出ステップで抽出した前記保安規定情報の項目を識別可能に表示した第１表示画面を表示する第１表示画面表示ステップと、を有することを特徴とする。
【００１８】
この構成によれば、保安規定情報格納部に格納されている保安規定情報の項目を集約し、保安規定情報抽出部が抽出した保安規定情報の項目を識別可能に表示した第１表示画面を表示するため、発電プラントの全体の運転状態を俯瞰することができ、結果として、発電プラントに関する重要な情報の見落とし、及び、発電プラントに関する複数の情報による混乱を招くことを低減することができる。
【００１９】
この構成において、前記第１表示画面において実行される前記保安規定情報の前記項目の選択操作に応じて、選択された前記保安規定情報に関連し、前記発電プラントの運転パラメータを含む個別の詳細な確認項目と、前記確認項目に基づく前記運転条件の制限の逸脱の判定結果と、を表示した第２表示画面を表示する第２表示画面表示ステップと、をさらに有することが好ましい。この構成によれば、第１表示画面において実行される保安規定情報の項目の選択操作に応じて、選択された保安規定情報に関連し、発電プラントの運転パラメータを含む個別の詳細な確認項目と、確認項目に基づく運転条件の制限の逸脱の判定結果と、を表示した第２表示画面を表示するため、発電プラントの全体に対する位置付けを意識しながら、発電プラントの個別の詳細な情報及びＬＣＯ逸脱に関する情報を、適切に確認及び判断をすることができる。
【００２０】
また、第２表示画面表示ステップを有する構成において、前記選択された前記保安規定情報において前記運転条件の制限から逸脱している旨の前記判定結果が出されている場合、前記運転条件の制限からの逸脱の状況に応じた要求措置を表示した第３表示画面を表示する第３表示画面表示ステップと、をさらに有すること好ましい。この構成によれば、第１表示画面において選択された保安規定情報において運転条件の制限から逸脱している旨の判定結果が出されている場合、運転条件の制限からの逸脱の状況に応じた要求措置を表示した第３表示画面を表示するため、発電プラントの全体に対する位置付けを意識しながら、発電プラントの個別の詳細な情報及びＬＣＯ逸脱に関する情報を、適切に確認、判断及び対応を取ることができる。
【００２１】
また、これらの構成において、前記第１表示画面において実行される操作に応じて、前記運転条件の制限を逸脱しない通常時の対応項目を集約して表示した第４表示画面を表示する第４表示画面表示ステップと、をさらに有することが好ましい。この構成によれば、この構成によれば、発電プラントの全体に対する位置付けを意識しながら、運転条件の制限を逸脱しない通常時の対応項目を、適切に確認、判断及び対応を取ることができる。
【図面の簡単な説明】
【００２２】
【図１】図１は、本発明の実施形態に係る発電プラントの運転管理支援装置及び発電プラントの運転管理支援装置が使用される発電プラントの概略構成図である。
【図２】図２は、図１の発電プラントの運転管理支援装置が表示部に表示する画面の一例の全体像を示す図である。
【図３】図３は、本発明の実施形態に係る発電プラントの運転管理支援方法のフローチャートである。
【図４】図４は、図１の発電プラントの運転管理支援装置が表示部に表示する画面の一例である第１表示画面を示す図である。
【図５】図５は、図１の発電プラントの運転管理支援装置が表示部に表示する画面の一例である第２表示画面を示す図である。
【図６】図６は、図１の発電プラントの運転管理支援装置が表示部に表示する画面の一例である第３表示画面を示す図である。
【図７】図７は、図１の発電プラントの運転管理支援装置が表示部に表示する画面の一例である第４表示画面を示す図である。
【図８】図８は、図１の発電プラントの運転管理支援装置が表示部に表示する画面の一例である第５表示画面を示す図である。
【発明を実施するための形態】
【００２３】
以下に、本発明の実施形態に係る発電プラントの運転管理支援装置を、図面に基づいて詳細に説明する。なお、以下の実施の形態の説明は、本発明を限定するものではなく、適宜変更して実施可能である。
【００２４】
［実施形態］
図１は、本発明の実施形態に係る発電プラントの運転管理支援装置１０及び発電プラントの運転管理支援装置１０が使用される発電プラント２２の概略構成図である。発電プラントの運転管理支援装置１０は、図１に示すように、記憶部１２と、入力部１４と、演算処理部１６と、表示部１８と、を有し、発電プラント２２の運転管理を支援する。
【００２５】
発電プラントの運転管理支援装置１０は、発電プラント２２を保安するプラント保安システム２０で使用され、プラント保安システム２０を含む他の機器と情報通信可能に接続されている。発電プラントの運転管理支援装置１０は、本実施形態では、プラント保安システム２０を含む他の機器と有線で接続されたコンピュータ端末であるが、本発明ではこれに限定されず、プラント保安システム２０を含む他の機器と無線で接続された携帯可能なタブレット状の端末等であってもよい。
【００２６】
記憶部１２は、例えばＲＡＭ（Random  Access  Memory）、ＲＯＭ（Read  Only  Memory）及びフラッシュメモリー等の記憶装置を有する。記憶部１２は、図１に示すように、保安規定情報格納部１３を有している。保安規定情報格納部１３は、発電プラント２２の保安規定に関連する保安規定情報を格納している。この保安規定情報は、保安規定のうち、原子力プラントにおける諸規則をまとめた保安規定に基づく運転条件の制限、すなわちＬＣＯ（Limiting  Condition  of  Operation）に関連する全ての条文番号と、これら全ての各条文番号に対応付けられた各条文、発電プラント２２のＬＣＯの内容、及び、発電プラント２２のＬＣＯの内容に関連する各運転パラメータと、を含む。また、保安規定情報格納部１３は、自動的に発電プラント２２の状態を記録する時間間隔に関する定期確認時間の情報を格納している。また、記憶部１２は、演算処理部１６が作成して表示部１８に表示させる画像に用いられる画像の要素の情報を記憶している。
【００２７】
記憶部１２は、入力部１４から入力を受け付けた、運転中または運転後の発電プラント２２の各運転パラメータの情報を記憶する。発電プラント２２の各運転パラメータの情報は、制御装置２４が発電プラント２２から入力を受け付ける情報と、制御装置２４が演算処理して発電プラント２２に伝達することで発電プラント２２において制御する対象となっている制御対象の情報と、これらの情報の関係を結びつける制御装置２４における演算処理に関する情報等と、を含む。
【００２８】
記憶部１２は、ＬＣＯから逸脱していない通常時には、定期確認時間の情報に基づいて、自動的に発電プラント２２の状態、例えば各運転パラメータの数値等を記録する。記憶部１２は、ＬＣＯから逸脱した場合には、ＬＣＯの逸脱についての許容待機除外時間（Allowed  Outage  Time、ＡＯＴ）における、発電プラント２２の全体についてのＬＣＯ逸脱か否かの判定結果または逸脱状態を示す各運転パラメータの情報、発電プラント２２の一部についてのＬＣＯ逸脱か否かの判定結果または逸脱状態を示す各運転パラメータの情報、もしくは、ＬＣＯ逸脱に対する要求措置に基づく対応をした発電プラント２２についてのＬＣＯ逸脱か否かの判定結果または逸脱状態を示す各運転パラメータの情報、を自動的に記録する。ここで、許容待機除外時間は、緊急炉心冷却装置（Emergency  Core  Cooling  System、ＥＣＣＳ）を動作可能な状態に発電プラント２２を復旧するまでの制限時間のことを指す。
【００２９】
また、記憶部１２は、発電プラント２２の各運転パラメータの情報、発電プラント２２の各運転パラメータに関連する種々の計測値の上限値及び下限値の情報、ＬＣＯ逸脱か否かの判定に関する情報、復旧可能か否かの判定の情報、運転の維持が可能か否かの判定の情報、復旧可能な場合の復旧方法に関する情報、故障箇所の影響範囲の情報、等の各情報をそれぞれ関連付けてリスト化して、記憶する。
【００３０】
記憶部１２は、後述する演算処理部１６と情報通信可能に電気的に接続されている。記憶部１２は、演算処理部１６により処理されるソフトウェア・プログラム及びこのソフトウェア・プログラムにより参照されるデータ等を記憶する。具体的には、記憶部１２は、演算処理部１６に発電プラントの運転管理支援装置１０の作動方法を実行させるための発電プラントの運転管理支援プログラムを記憶する。また、記憶部１２は、演算処理部１６が処理結果等を一時的に記憶する記憶領域としても機能する。
【００３１】
発電プラントの運転管理支援プログラムは、発電プラントの運転管理支援装置１０の作動方法においてＬＣＯに抵触しているか否かを診断するためのロジック、及び、発電プラント２２が復旧可能か否か等を診断するためのロジック等を含む。
【００３２】
入力部１４は、オペレータの操作の入力を受け付ける入力受付部と、プラント保安システム２０を含む他の機器からの情報の入力を受け付ける情報通信インターフェースと、を含む。ここで、オペレータは、発電プラント２２の運転員及び保守官等の多数の関係者が例示される。入力部１４の入力受付部は、発電プラントの運転管理支援装置１０の外郭ケースに備え付けられたボタン、及び、後述する表示部１８と一体化して設けられたタッチパネルの入力機能等が例示される。入力部１４は、演算処理部１６と情報通信可能に電気的に接続されている。入力部１４は、入力を受け付けたオペレータの操作に応じた情報、及び、入力を受け付けたプラント保安システム２０を含む他の機器からの情報を、演算処理部１６に送信する。
【００３３】
演算処理部１６は、記憶部１２、入力部１４及び表示部１８と、それぞれ情報通信可能に電気的に接続されている。演算処理部１６は、コンピュータに含まれるＣＰＵ（Central  Processing  Unit）等が例示される。演算処理部１６は、記憶部１２からソフトウェア・プログラム等を読み出して処理することで、ソフトウェア・プログラムの内容に応じた機能を発揮する。具体的には、演算処理部１６は、記憶部１２に記憶された発電プラントの運転管理支援プログラムを読み出して処理することで、発電プラントの運転管理支援装置１０の作動方法を実行する。記憶部１２及び演算処理部１６は、一体のコンピュータが例示される。
【００３４】
演算処理部１６は、記憶部１２から、保安規定情報格納部１３に格納された保安規定情報及び定期確認時間の情報と、記憶部１２に記憶された画像の要素の情報等を受信する。演算処理部１６は、入力部１４から、入力を受け付けたオペレータの操作に応じた情報、及び、入力を受け付けたプラント保安システム２０を含む他の機器からの情報を受信する。演算処理部１６は、記憶部１２から受信した情報と入力部１４から受信した情報とに基づいて、発電プラントの運転管理支援方法を実行するために必要な種々の演算処理を行う。演算処理部１６は、この種々の演算処理によって得られた情報を、記憶部１２に送信して記憶させたり、表示部１８に送信して表示させたりする。
【００３５】
演算処理部１６は、図１に示すように、保安規定情報抽出部１７を有している。保安規定情報抽出部１７は、発電プラント２２の運転パラメータのうちＬＣＯの逸脱に関連している可能性があると判定されたものを抽出するとともに、保安規定情報格納部１３に格納された保安規定情報から、同じＬＣＯを逸脱している可能性があると判定された保安規定に関連する保安規定情報を抽出する。また、保安規定情報抽出部１７は、このＬＣＯの逸脱の結果として派生すると判定された別のＬＣＯの逸脱に関連していると判定された発電プラント２２の運転パラメータ、及び、この派生する別のＬＣＯの逸脱と判定された保安規定に関連する保安規定情報を、さらに抽出してもよい。演算処理部１６は、特に保安規定情報抽出部１７で抽出した保安規定情報に基づいて、種々の処理を実行する。
【００３６】
演算処理部１６は、保安規定情報抽出部１７で抽出した保安規定情報に基づいて、かかる保安規定の条文番号及び条文の内容を表示部１８に表示させる表示方法をより目立つように変更する。また、演算処理部１６は、保安規定情報抽出部１７で抽出した保安規定情報に関連し、保安規定情報抽出部１７で抽出した発電プラント２２の運転パラメータを含む個別の詳細な確認項目を抽出して、記憶部１２に記憶させたり、表示部１８に表示させたりする。また、演算処理部１６は、保安規定情報抽出部１７で抽出した保安規定情報に関連するこれらの確認項目についてＬＣＯの逸脱の判定に関する処理をして、これらの確認項目に基づくＬＣＯの逸脱の判定結果を、記憶部１２に記憶させたり、表示部１８に表示させたりする。
【００３７】
また、演算処理部１６は、ＬＣＯから逸脱している可能性があると判定した場合、その逸脱の状況に応じて、復旧可能か否か及び運転の維持が可能か否か等の判定に関する処理をして、それらの判定結果を含む種々の情報を、記憶部１２に記憶させたり、表示部１８に表示させたりする。そして、演算処理部１６は、復旧可能であると判定した場合、復旧方法を実行するための要求措置を抽出する処理をして、抽出した要求措置に関する種々の情報を、記憶部１２に記憶させたり、表示部１８に表示させたりする。また、演算処理部１６は、ＬＣＯの逸脱の可能性が故障を伴うものである場合、故障箇所の影響範囲を算出する処理をして、その結果を、記憶部１２に記憶させたり、表示部１８に表示させたりする。
【００３８】
表示部１８は、演算処理部１６と情報通信可能に電気的に接続されている。表示部１８は、演算処理部１６を介して入力部１４が入力を受け付けた種々の情報を受信するとともに、演算処理部１６から、演算処理部１６の演算処理によって得られた情報を受信する。表示部１８は、演算処理部１６から受信したこれらの情報、例えば、保安規定情報抽出部１７が抽出した保安規定情報及びこの保安規定情報に関連する発電プラント２２の運転パラメータの情報を、オペレータにとって認識可能な文字や画像等で表示する。表示部１８は、文字や画像等を表示するディスプレイ、及び、入力部１４と一体化して設けられたタッチパネルの表示機能等が例示される。
【００３９】
発電プラントの運転管理支援装置１０は、情報通信を行う有線で、プラント保安システム２０の各部と情報通信が可能な形態である。この場合、発電プラントの運転管理支援装置１０は、プラント保安システム２０に含まれる機器、特に無線の電波に対して感度が高い計測器等に悪影響を及ぼすことはない。また、発電プラントの運転管理支援装置１０及びプラント保安システム２０は、無線での情報通信をしないため、無線から情報を漏洩することがなく、情報セキュリティへの懸念がない。また、発電プラントの運転管理支援装置１０は、演算処理部１６の処理に必要な様々な情報を、表示部１８を通して入力部１４への入力を求めることなく、有線でプラント保安システム２０から自動的に取得することができる。
【００４０】
なお、発電プラントの運転管理支援装置１０は、有線でプラント保安システム２０の各部と情報通信が可能な形態に限定されず、例えば、パスワードなどで鍵がかけられており、かつ、プラント保安システム２０に含まれる機器に影響を及ぼさない波長域の無線で、プラント保安システム２０の各部と情報通信が可能な形態であってもよい。この場合、発電プラントの運転管理支援装置１０は、プラント保安システム２０に含まれる機器に影響を及ぼさない波長域の無線が用いられるため、これらの機器に悪影響を及ぼすことが低減される。また、発電プラントの運転管理支援装置１０及びプラント保安システム２０は、無線に鍵がかけられているため、無線から情報を漏洩する可能性が低減され、情報セキュリティへの懸念が低減される。また、発電プラントの運転管理支援装置１０は、演算処理部１６の処理に必要な様々な情報を、表示部１８を通して入力部１４への入力を求めることなく、無線でプラント保安システム２０から自動的に取得することができる。
【００４１】
また、発電プラントの運転管理支援装置１０は、例えば、プラント保安システム２０の各部と情報通信が不可能な形態、すなわちスタンドアローン処理をする形態であってもよい。この場合、発電プラントの運転管理支援装置１０は、プラント保安システム２０に含まれる機器、特に無線の電波に対して感度が高い計測器等に悪影響を及ぼすことはない。また、発電プラントの運転管理支援装置１０及びプラント保安システム２０は、無線での情報通信をしないため、無線から情報を漏洩することがなく、情報セキュリティへの懸念がない。なお、この場合、発電プラントの運転管理支援装置１０は、演算処理部１６の処理に必要な様々な情報を、表示部１８を通して入力部１４への入力を求め、この求めに応じて、オペレータが後述する保守ツール２６のディスプレイに表示された情報等の様々な情報を入力部１４へ入力することで、取得することができる。
【００４２】
発電プラントの運転管理支援装置１０を使用する対象であるプラント保安システム２０は、図１に示すように、発電プラント２２と、制御装置２４と、保守ツール２６と、を含む。制御装置２４及び保守ツール２６は、中央制御室に設置されている。
【００４３】
発電プラント２２は、原子力プラントであり、図１に示すように、原子炉３２と、蒸気発生器３４と、加圧器３６と、蓄圧タンク３８と、を含む。ここで、蓄圧タンク３８は、原子力プラントが沸騰水型軽水炉（Boiling  Water  Reactor、ＢＷＲ）である場合に使用される蓄圧注入系の緊急炉心冷却装置であり、核反応を停止させるために注入する１０Ｂを含む五ホウ酸ナトリウム溶液を蓄えている。発電プラント２２は、原子炉３２の内部の温度を計測する温度計３２ａと、蒸気発生器３４の内部の水位を計測する水位計測器３４ａと、加圧器３６の内部の圧力を計測する圧力計３６ａと、蓄圧タンク３８の内部のホウ素濃度、ホウ酸水量及び圧力を計測する計測系３８ａと、を含む。発電プラント２２は、その他にも様々な機器及び計測器を含む。原子炉３２、温度計３２ａ、蒸気発生器３４、水位計測器３４ａ、加圧器３６、圧力計３６ａ、蓄圧タンク３８、計測系３８ａ及びその他の様々な機器及び計測器は、一般的な原子力プラントに用いられるものが好適に用いられる。なお、第１の実施形態では、発電プラント２２が原子力プラントであるとしているが、本発明はこれに限定されることなく、火力プラントであってもよい。
【００４４】
発電プラント２２は、制御装置２４を構成する後述する４つの制御ユニット３９と、それぞれ並列に、情報通信可能に電気的に接続されている。すなわち、原子炉３２、蒸気発生器３４、加圧器３６、蓄圧タンク３８及びその他の様々な機器は、それぞれ、制御装置２４を構成する４つの制御ユニット３９と、情報通信可能に電気的に接続されている。発電プラント２２に含まれる原子炉３２、蒸気発生器３４、加圧器３６、蓄圧タンク３８及びその他の様々な機器は、制御装置２４を構成する４つの制御ユニット３９に、各機器に関する様々なパラメータ等の情報を送信する。発電プラント２２に含まれる原子炉３２、蒸気発生器３４、加圧器３６、蓄圧タンク３８及びその他の様々な機器は、制御装置２４を構成する４つの制御ユニット３９によって制御する。
【００４５】
また、温度計３２ａ、水位計測器３４ａ、圧力計３６ａ、計測系３８ａ及びその他の様々な計測器は、制御装置２４を構成する４つの制御ユニット３９と、情報通信可能に電気的に接続されている。発電プラント２２に含まれる温度計３２ａ、水位計測器３４ａ、圧力計３６ａ、計測系３８ａ及びその他の様々な計測器は、制御装置２４を構成する４つの制御ユニット３９に、各計測器による計測情報を送信する。
【００４６】
制御装置２４は、複数の制御ユニットを備え、具体的には、図１に示すように、４つの制御ユニット３９を備える。制御装置２４は、これに限定されることなく、いくつの制御ユニットを備えていても良い。制御装置２４は、出来るだけ多くの制御ユニットを備えていることが好ましい。４つの制御ユニット３９は、いずれも同じ仕様の装置ユニットである。４つの制御ユニット３９は、それぞれ並列に、発電プラント２２と情報通信可能に電気的に接続されている。４つの制御ユニット３９は、それぞれ、各機器の情報を受信し、受信した各機器の情報に基づいて、発電プラント２２の運転を制御する。制御装置２４は、４つの制御ユニット３９で、発電プラント２２の運転に関する同一の制御を、並列に処理する。
【００４７】
プラント保安システム２０では、発電プラント２２が原子力プラントであるため、ＬＣＯに従って、制御装置２４が４重化されている必要がある。すなわち、プラント保安システム２０では、制御装置２４が４つの制御ユニット３９で、発電プラント２２の運転に関する同一の制御を並列に処理する状態が、維持されている必要がある。つまり、プラント保安システム２０では、制御装置２４が３つ以下の制御ユニット３９で発電プラント２２の運転に関する同一の制御を並列に処理する状態は、ＬＣＯから逸脱した状態となってしまう。このため、発電プラント２２が原子力プラントである場合、制御装置２４が４つの制御ユニット３９を備える必要がある。また、発電プラント２２が原子力プラントである場合、制御装置２４が５つ以上の制御ユニット３９を備えることが好ましい。
【００４８】
ＬＣＯは、プラントの種類ごとに定められた諸規則をまとめた保安規定ごとに基づいて設けられている。プラント保安システム２０では、発電プラント２２が原子力プラントであるため、原子力プラントにおける諸規則をまとめた保安規定に基づいて設けられているが、プラントの種類に応じて異なるＬＣＯが設けられる。ＬＣＯは、いずれのプラントの種類であっても、条文形式で運転条件の制限が管理される。
【００４９】
４つの制御ユニット３９は、それぞれ並列に、保守ツール２６と情報通信可能に電気的に接続されている。４つの制御ユニット３９は、それぞれ、制御ユニット３９の装置の状態の情報を保守ツール２６に送信する。制御ユニット３９の装置の状態の情報は、制御ユニット３９の各部が、正常に作動している状態であるか、故障している状態であるか、という情報である。
【００５０】
４つの制御ユニット３９は、発電プラント２２に含まれる原子炉３２、蒸気発生器３４、加圧器３６、蓄圧タンク３８及びその他の様々な機器に関する様々なパラメータ等の情報を、保守ツール２６に送信する。４つの制御ユニット３９は、発電プラント２２に含まれる温度計３２ａ、水位計測器３４ａ、圧力計３６ａ、計測系３８ａ及びその他の様々な計測器による計測情報を、保守ツール２６に送信する。
【００５１】
制御ユニット３９は、それぞれ、コンピュータに含まれるＣＰＵ（Central  Processing  Unit）等が例示される制御装置２４の制御判断を行う回路を有する。すなわち、制御ユニット３９は、それぞれ、発電プラント２２の運転を制御するためのロジック演算などの演算処理をする。制御ユニット３９は、発電プラント２２が通常に運転されている際には、所定の発電プラント２２の運転条件内で、通常の運転を制御するための演算処理をする。所定の発電プラント２２の運転条件は、ＬＣＯを含むものであり、制御ユニット３９に接続された記憶装置等に記憶されている。
【００５２】
制御ユニット３９は、発電プラント２２に異常または事故が発生した際には、制御装置２４に入力される異常または事故の情報に基づいて、異常または事故に対応した発電プラント２２の制御をするための演算処理をする。例えば、制御ユニット３９は、発電プラント２２に運転の維持及び復旧が可能な異常または事故が発生した場合には、制御装置２４に所定の方法で発電プラント２２の運転を維持及び復旧させる旨の入力がされることに応じて、発電プラント２２の運転を維持及び復旧させるための演算処理をする。また、制御ユニット３９は、発電プラント２２が加圧水型原子炉であり、発電プラント２２に原子炉トリップを要するような運転の維持及び復旧が不可能な異常または事故が発生した場合には、制御装置２４に原子炉トリップをする旨の入力がされることに応じて、発電プラント２２を原子炉トリップするための演算処理をする。
【００５３】
制御ユニット３９は、複数のロジック演算回路を組み合わせた構造とすることが好ましい。制御ユニット３９は、各ロジック演算回路で設定された演算を行うことで、発電プラント２２の各部を制御する指示を生成する。
【００５４】
保守ツール２６は、原子炉３２を含む発電プラント２２の安全保護に必要な情報を収集し表示する計装盤であり、原子炉安全保護計装盤と称されることもある。保守ツール２６は、制御装置２４を構成する４つの制御ユニット３９と、それぞれ並列に、情報通信可能に電気的に接続されている。保守ツール２６は、４つの制御ユニット３９から、それぞれの制御ユニット３９の装置の状態の情報を受信する。保守ツール２６は、ディスプレイを有し、それぞれの制御ユニット３９の装置の状態の情報を、ディスプレイに表示させる。
【００５５】
保守ツール２６は、制御装置２４を構成する４つの制御ユニット３９を介して、発電プラント２２に含まれる原子炉３２、蒸気発生器３４、加圧器３６、蓄圧タンク３８及びその他の様々な機器に関する様々なパラメータ等の情報を受信する。保守ツール２６は、制御装置２４を構成する４つの制御ユニット３９を介して、発電プラント２２に含まれる原子炉３２、蒸気発生器３４、加圧器３６、蓄圧タンク３８及びその他の様々な機器の状態の情報を受信する。保守ツール２６は、発電プラント２２に含まれる様々な機器の状態を、ディスプレイに表示させる。具体的には、保守ツール２６は、発電プラント２２に含まれる機器が故障している可能性が高い場合、その故障している可能性が高い機器を、故障に関するエラーメッセージまたはエラーコードに加えて、ディスプレイに表示させる。
【００５６】
保守ツール２６は、制御装置２４を構成する４つの制御ユニット３９を介して、発電プラント２２に含まれる温度計３２ａ、水位計測器３４ａ、圧力計３６ａ、計測系３８ａ及びその他の様々な計測器による計測情報を受信する。保守ツール２６は、制御装置２４を構成する４つの制御ユニット３９を介して、発電プラント２２に含まれる温度計３２ａ、水位計測器３４ａ、圧力計３６ａ、計測系３８ａ及びその他の様々な計測器の状態の情報を受信する。保守ツール２６は、発電プラント２２に含まれる様々な計測器の状態を、ディスプレイに表示させる。具体的には、保守ツール２６は、発電プラント２２に含まれる計測器が故障している可能性が高い場合、その故障している可能性が高い機器を、ディスプレイに表示させる。
【００５７】
保守ツール２６は、入出力警報、軽故障警報及び重故障警報の３種類に分けて、ディスプレイに表示させる。ここで、入出力警報は、制御ユニット３９への情報の入出力に関する故障に対する警報が含まれる。また、軽故障警報は、制御ユニット３９におけるＣＰＵ片系の故障に対する警報が含まれる。また、重故障警報は、制御ユニット３９におけるＣＰＵ両系の故障に対する警報が含まれる。
【００５８】
４つの制御ユニット３９及び保守ツール２６は、いずれも、入力部１４の情報通信インターフェースを介して、情報通信可能に電気的に接続されており、発電プラント２２に含まれる原子炉３２、蒸気発生器３４、加圧器３６、蓄圧タンク３８及びその他の様々な機器に関する様々なパラメータ等の情報、並びに、発電プラント２２に含まれる温度計３２ａ、水位計測器３４ａ、圧力計３６ａ、計測系３８ａ及びその他の様々な計測器による計測情報を、入力部１４へ入力する。
【００５９】
図２は、図１の発電プラントの運転管理支援装置１０が表示部１８に表示する画面の一例の全体像を示す図である。以下において、図２を用いて、発電プラントの運転管理支援装置１０が表示部１８に表示する画面の全体像について説明する。
【００６０】
発電プラントの運転管理支援装置１０は、入力部１４を操作して電源をオフからオンに切り替えて、初期の所定の項目に所定の情報を入力することに応じて、演算処理部１６が、図２に示すような第１表示画面４０、第２表示画面５０、第３表示画面７０、第４表示画面８０及び第５表示画面９０のうちいずれか１つの画面を、表示部１８に表示させる。なお、発電プラントの運転管理支援装置１０は、本実施形態では、電源の切り替え及び所定の情報の入力の後に、第１表示画面４０を最初に表示部１８に表示させるものと設定しているが、本発明はこれに限定されることなく、その他の画面が最初に表示部１８に表示させるものと設定してもよい。
【００６１】
また、発電プラントの運転管理支援装置１０は、表示部１８がいずれの画面を表示している場合でも、入力部１４を操作して電源をオンからオフに切り替えることに応じて、演算処理部１６が、表示部１８に表示させていた画面をオフに切り替える。発電プラントの運転管理支援装置１０は、図２に示すように、表示部１８が、演算処理部１６からの指令に応じて、第１表示画面４０、第２表示画面５０、第３表示画面７０、第４表示画面８０及び第５表示画面９０を、互いに切り替え可能に表示することができる。
【００６２】
以上のような構成を有する実施形態に係る発電プラントの運転管理支援装置１０の作用について、発電プラントの運転管理支援装置１０が表示部１８に表示させる第１表示画面４０、第２表示画面５０、第３表示画面７０、第４表示画面８０及び第５表示画面９０の詳細な説明とともに、以下に説明する。図３は、本発明の実施形態に係る発電プラントの運転管理支援方法のフローチャートである。本発明の実施形態に係る発電プラントの運転管理支援方法は、発電プラントの運転管理支援装置１０の動作の一例である。本発明の実施形態に係る発電プラントの運転管理支援方法は、図３に示すように、抽出ステップＳ１と、集約ステップＳ２と、第１表示画面表示ステップＳ３と、第２表示画面表示ステップＳ４と、第３表示画面表示ステップＳ５と、第４表示画面表示ステップＳ６と、第５表示画面表示ステップＳ７と、を含む。
【００６３】
抽出ステップＳ１は、保安規定情報抽出部１７が、発電プラント２２の運転条件の制限を逸脱していると判定された発電プラント２２の保安規定に関連する保安規定情報の項目を抽出するステップである。抽出ステップＳ１では、詳細には、保安規定情報抽出部１７が、発電プラント２２の運転パラメータのうちＬＣＯの逸脱に関連している可能性があると判定されたものを抽出するとともに、保安規定情報格納部１３に格納された保安規定情報から、同じＬＣＯを逸脱している可能性があると判定された保安規定に関連する保安規定情報を抽出する。また、抽出ステップＳ１では、さらに、保安規定情報抽出部１７が、このＬＣＯの逸脱の結果として派生すると判定された別のＬＣＯの逸脱に関連していると判定された発電プラント２２の運転パラメータ、及び、この派生する別のＬＣＯの逸脱と判定された保安規定に関連する保安規定情報を、さらに抽出することができる。
【００６４】
集約ステップＳ２は、演算処理部１６が、発電プラントの保安規定に関連する保安規定情報の項目を集約するステップである。集約ステップＳ２では、詳細には、演算処理部１６が、保安規定情報格納部１３に格納されている保安規定情報の項目を集約し、項目ごとに、本実施形態では条文番号ごとに、分類して取り纏める。なお、集約ステップＳ２では、演算処理部１６が、保安規定情報格納部１３に格納されている全ての保安規定情報の項目を集約し、項目ごとに、本実施形態では全ての条文番号ごとに、分類して取り纏めることが好ましい。また、これに合わせて、集約ステップＳ２以降に説明する処理ステップ及び表示画面等において、保安規定情報格納部１３に格納されている全ての保安規定情報の項目について取り扱うことが好ましく、これらの場合、保安規定情報に関する項目漏れの可能性を低減することができる。
【００６５】
第１表示画面表示ステップＳ３は、表示部１８が、演算処理部１６からの指令に応じて、集約ステップＳ２で集約した保安規定情報の項目を表示するとともに、抽出ステップＳ１で抽出した保安規定情報の項目を識別可能に表示した第１表示画面４０を表示するステップである。
【００６６】
図４は、図１の発電プラントの運転管理支援装置１０が表示部１８に表示する画面の一例である第１表示画面４０を示す図である。第１表示画面４０は、図４に示すように、フレーム構造を有しており、第１表示画面４０の中央部分に設けられた主要画面部４０ａと、主要画面部４０ａの上部に設けられたヘッダ画面部４０ｂと、主要画面部４０ａの下部に設けられたフッタ画面部４０ｃと、を含む。第１表示画面４０は、後述する第４表示画面８０及び第５表示画面９０において、後述するＬＣＯ全体監視ボタン４４の選択操作を受け付けることに応じて、第４表示画面８０及び第５表示画面９０から切り替えられて表示される。
【００６７】
第１表示画面４０は、主要画面部４０ａにおいて、保安規定情報格納部１３に格納されている保安規定情報の項目に関する保安規定情報ボタン４１を集約して表示している。このため、第１表示画面４０は、オペレータが発電プラント２２の全体の運転状態を俯瞰することを可能にし、その結果として、オペレータが、発電プラント２２に関する重要な情報の見落とし、及び、発電プラント２２に関する複数の情報による混乱を招くことを低減することを可能にしている。
【００６８】
第１表示画面４０は、第１表示画面４０を表示させる前に入力した発電プラント２２の運転管理支援に関するモードに基づいて、このモードに適用される保安規定に関する保安規定情報ボタン４１を白色（図４における明色）で示し、このモードに適用されない保安規定に関する保安規定情報ボタン４１を灰色（図４における暗色）で示している。このように、第１表示画面４０は、オペレータが一瞥しただけで、発電プラント２２の運転管理支援に関するモードにおいて確認等をする必要が生じる可能性がある保安規定と、発電プラント２２の運転管理支援に関するモードにおいて確認等をする必要が生じる可能性がない保安規定とを識別可能に表示している。このため、第１表示画面４０は、オペレータが発電プラント２２の全体の運転状態をより少ない負担で俯瞰することを可能にし、その結果として、オペレータが、発電プラント２２に関する重要な情報の見落とし、及び、発電プラント２２に関する複数の情報による混乱を招くことをより確実に低減することを可能にしている。
【００６９】
保安規定情報ボタン４１は、図４に示すように、保安規定情報ボタン４１の項目を表示する項目表示部４１ａと、保安規定情報ボタン４１の項目に関して演算処理部１６が抽出した要求措置の対応状況を表示する対応状況表示部４１ｂと、保安規定情報ボタン４１の項目に関する条文の名称を表示する旨の入力を受け付ける条文名称表示受付部４１ｃと、を有する。
【００７０】
項目表示部４１ａは、保安規定情報の項目として、保安規定の条文番号を表示している。すなわち、第１表示画面４０は、保安規定情報格納部１３に格納されている保安規定情報を、項目表示部４１ａに示した条文番号で分類した保安規定情報ボタン４１を配列することにより表示している。このように、第１表示画面４０は、項目表示部４１ａにおいて二桁程度の数字のみで保安規定情報の項目を表示しているので、保安規定情報の項目に使用する面積を最小限度にすることができ、保安規定情報ボタン４１をコンパクトに集約して表示することができる。また、第１表示画面４０は、オペレータが、保安規定情報の項目が漏れ落ちてしまう可能性、及び、保安規定情報の項目が重複してしまう可能性を低減することを可能にするので、オペレータが発電プラント２２の全体の運転状態をより少ない負担で俯瞰することを可能にしている。
【００７１】
また、項目表示部４１ａは、当該保安規定情報の項目に関するＬＣＯのステータス、すなわち当該保安規定情報の条文番号における条文に関するＬＣＯのステータスを、保安規定情報の項目である条文番号に重ねて、オペレータが十分に識別可能に、色彩等で表示する。このように、第１表示画面４０は、項目表示部４１ａにおいて、当該保安規定情報の項目に重ねて、当該保安規定情報の項目に関するＬＣＯのステータスを、オペレータが一瞥して十分に識別可能に表示しているので、オペレータが、発電プラント２２に関する重要な情報の見落とし、及び、発電プラント２２に関する複数の情報による混乱を招くことをより確実に低減することを可能にしている。
【００７２】
具体的には、項目表示部４１ａは、表示している項目に関するＬＣＯのステータスが正常状態、すなわちＬＣＯを満足している場合、保安規定情報ボタン４１のその他の部分である対応状況表示部４１ｂ及び条文名称表示受付部４１ｃと同じ白色（図４における明色）で表示する。また、項目表示部４１ａは、表示している項目に関するＬＣＯについて、オペレータが確認したり要求措置に対する対応をしたりする必要が生じている場合、オペレータが注意喚起や警告を感じることなく十分に気付く程度の表示、例えば水色のフリッカで表示する。また、項目表示部４１ａは、表示している項目に関するＬＣＯの逸脱の可能性があり、このために、オペレータが確認したり要求措置に対する対応をしたりする必要が生じている場合、オペレータが十分に注意喚起される程度の表示、例えば黄色のフリッカで表示する。また、項目表示部４１ａは、表示している項目に関するＬＣＯから逸脱した状態である場合、オペレータが十分に警告を感じる程度の表示、例えば赤色で表示する。
【００７３】
対応状況表示部４１ｂは、項目表示部４１ａが表示している項目に関するＬＣＯについて、オペレータが確認したり要求措置に対する対応をしたりする事項を有する場合、かかる確認及び要求措置に対するオペレータの対応状況を、オペレータが十分に認識可能に、文字列等で表示する。このように、第１表示画面４０は、対応状況表示部４１ｂにおいて、当該保安規定情報の項目を表示している項目表示部４１ａに隣接して、項目表示部４１ａが表示している項目に関するＬＣＯに関連する確認事項及び要求措置に対するオペレータの対応状況を、オペレータが一瞥して十分に識別可能に表示しているので、オペレータが、発電プラント２２に関する重要な情報の見落とし、及び、発電プラント２２に関する複数の情報による混乱を招くことをより確実に低減することを可能にしている。
【００７４】
具体的には、対応状況表示部４１ｂは、項目表示部４１ａが表示している項目に関するＬＣＯに関連する確認事項及び要求措置に対して、オペレータが未着手の状況である場合、「未着手」と表示する。また、対応状況表示部４１ｂは、項目表示部４１ａが表示している項目に関するＬＣＯに関連する確認事項及び要求措置に対して、オペレータが着手をして対応を進行中の状況である場合、「進行中」と表示する。また、対応状況表示部４１ｂは、項目表示部４１ａが表示している項目に関するＬＣＯに関連する確認事項及び要求措置に対して、オペレータが対応を完了した状況である場合、「完了」と表示する。
【００７５】
また、項目表示部４１ａ及び対応状況表示部４１ｂは、選択操作を受け付けることに応じて、項目表示部４１ａが表示している項目に関する詳細情報、具体的には、項目表示部４１ａが表示している条文番号に関する詳細情報を示す第２表示画面５０を表示させる旨の入力を受け付ける。
【００７６】
条文名称表示受付部４１ｃは、選択操作を受け付けることに応じて、同じ保安規定情報ボタン４１における項目表示部４１ａが表示している項目に関するさらなる情報、具体的には、項目表示部４１ａが表示している条文番号に対応する条文の名称を表示させる旨の入力を受け付ける。このさらなる情報、すなわち条文の名称は、第１表示画面４０において条文名称表示受付部４１ｃに隣接して表示されても良いし、第１表示画面４０からポップアウトした新たな画面に表示されても良い。このように、第１表示画面４０は、オペレータが必要とするさらなる情報、すなわち条文の名称を、当該項目に関する保安規定情報ボタン４１における条文名称表示受付部４１ｃに対して選択操作を入力することで、すぐに提供することができるため、オペレータが必要としたさらなる情報、すなわち条文の名称をすぐに確認することを可能にしている。
【００７７】
第１表示画面４０は、図４において、表示されている保安規定情報ボタン４１のうち、図４における最上段の中央に配された保安規定第５０条に関する保安規定情報ボタン４１が、その項目表示部４１ａに表示された条文番号の「５０」の表示に重ねて、オペレータが十分に識別可能であり注意喚起を促す色彩を表示している。また、第１表示画面４０は、図４において、この保安規定第５０条に関する保安規定情報ボタン４１が、その対応状況表示部４１ｂに文字列を表示していない。このことから、第１表示画面４０は、図４において、保安規定第５０条に関連する発電プラント２２の運転パラメータである蓄圧タンク３８に異常や故障が発生した可能性があり、これに伴って保安規定第５０条に関するＬＣＯを逸脱した可能性があり、この時点ではＬＣＯの逸脱か否かがまだ可能性の段階であり未確定であるために要求措置等がまだ出ていない状況であるため、オペレータが保安規定第５０条に関する詳細情報を、保安規定第５０条に関する保安規定情報ボタン４１の項目表示部４１ａまたは対応状況表示部４１ｂに選択操作を入力することにより確認する必要がある旨を、オペレータに対して示していることがわかる。
【００７８】
第１表示画面４０は、ヘッダ画面部４０ｂにおいて、モード表示４２と、告知表示４３と、を表示している。モード表示４２は、第１表示画面４０を表示させる前に入力した発電プラント２２の運転管理支援に関するモードを表示している。このため、オペレータは、モード表示４２を確認することで、常に、入力した発電プラント２２の運転管理支援に関するモードを確認できる。第１表示画面４０は、図４において、モード表示４２がモード１を示している。
【００７９】
告知表示４３は、未着手等の未完了の確認事項及び要求措置が残っていたり、最新の確認事項及び要求措置が生じたりした場合に、それらの旨を告知する情報を表示している。このため、オペレータは、告知表示４３を確認することで、常に、これからなすべき確認事項及び要求措置を確認することができる。第１表示画面４０は、図４において、告知表示４３が「第５０条「蓄圧タンク」にて、ＬＣＯ逸脱の可能性があります。至急確認して下さい」という情報を示している。第１表示画面４０は、図４において、上記した保安規定第５０条に関する保安規定情報ボタン４１がオペレータに示している情報と、告知表示４３が示している情報とが、同期している。
【００８０】
第１表示画面４０は、フッタ画面部４０ｃにおいて、ＬＣＯ全体監視ボタン４４と、通常時対応項目一覧ボタン４５と、要求措置一覧ボタン４６と、条文一覧ボタン４７と、を表示している。ＬＣＯ全体監視ボタン４４は、選択操作を受け付けることに応じて、表示部１８の表示を、ＬＣＯの全体を監視することが可能な第１表示画面４０に切り替える旨の入力を受け付ける。なお、ＬＣＯ全体監視ボタン４４は、第１表示画面４０においてフッタ画面部４０ｃに表示されている場合、改めて第１表示画面４０に切り替える必要がないため、灰色（図４における暗色）で示されており、選択操作を受け付けない状態にあることを表示している。
【００８１】
通常時対応項目一覧ボタン４５は、選択操作を受け付けることに応じて、表示部１８の表示を、ＬＣＯから逸脱していない通常時の対応項目の一覧を表示する第４表示画面８０に切り替える旨の入力を受け付ける。要求措置一覧ボタン４６は、選択操作を受け付けることに応じて、表示部１８の表示を、ＬＣＯから逸脱した場合における要求措置の一覧を表示する第５表示画面９０に切り替える旨の入力を受け付ける。
【００８２】
条文一覧ボタン４７は、選択操作を受け付けることに応じて、保安規定情報格納部１３が格納している発電プラント２２の保安規定に関連する条文の一覧の画面を、表示部１８に表示する。なお、この条文の一覧の画面は、表示部１８に表示されていた画面（ここでは、第１表示画面４０）から切り替えて表示しても良いし、表示部１８に表示されていた画面（ここでは、第１表示画面４０）からポップアウトした新たな画面に表示されても良い。
【００８３】
第２表示画面表示ステップＳ４は、表示部１８が、演算処理部１６からの指令に応じて、例えば、第１表示画面４０において実行される保安規定情報の項目の選択操作に応じて、選択された保安規定情報に関連し、発電プラント２２の運転パラメータを含む個別の詳細な確認項目と、確認項目に基づく運転条件の制限の逸脱の判定結果と、を表示した第２表示画面５０を表示するステップである。第２表示画面表示ステップＳ４は、本実施形態では、演算処理部１６が、例えば、第１表示画面４０において項目表示部４１ａ及び対応状況表示部４１ｂの選択操作を受け付けることに応じて、表示部１８に指令が出されて、演算処理部１６から指令を受けた表示部１８が実行する。
【００８４】
図５は、図１の発電プラントの運転管理支援装置１０が表示部１８に表示する画面の一例である第２表示画面５０を示す図である。第２表示画面５０は、図５に示すように、第１表示画面４０と同様にフレーム構造を有しており、第２表示画面５０の中央部分に設けられた主要画面部５０ａと、主要画面部５０ａの上部に設けられたヘッダ画面部５０ｂと、主要画面部５０ａの下部に設けられたフッタ画面部５０ｃと、を含む。第２表示画面５０は、第１表示画面４０において、項目表示部４１ａ及び対応状況表示部４１ｂの選択操作を受け付けることに応じて、第１表示画面４０から切り替えられて表示される。また、第２表示画面５０は、後述する第３表示画面７０において、後述するＬＣＯ状態監視ボタン６３の選択操作を受け付けることに応じて、第３表示画面７０から切り替えられて表示される。
【００８５】
第２表示画面５０は、主要画面部５０ａにおいて、直前の第１表示画面４０において選択操作が実行された項目表示部４１ａ及び対応状況表示部４１ｂが指し示す保安規定情報の項目に関連した表示をしている。具体的には、第２表示画面５０は、主要画面部５０ａにおいて、当該保安規定情報の項目である条文番号、図５に示す例では保安規定第５０条に規定されたＬＣＯに関連する確認事項表示５１ａ，５１ｂと、これらの確認事項表示５１ａ，５１ｂにそれぞれ対応するＬＣＯ事項表示５２ａ，５２ｂと、これらのＬＣＯ事項表示５２ａ，５２ｂにそれぞれ関連する発電プラント２２の運転パラメータを含む個別の詳細な確認項目表示５３ａ，５３ｂと、確認項目表示５３ａのうちの一部である上の２つに対して設けられた補足情報表示ボタン５４と、確認項目表示５３ａ，５３ｂのそれぞれに割り当てられた担当者表示５５と、確認項目表示５３ａ，５３ｂのそれぞれについての確認結果表示５６と、確認項目表示５３ａ，５３ｂのそれぞれについての次回確認するまでの時間制限表示５７と、確認項目表示５３ａ，５３ｂに基づくＬＣＯ判定結果表示５８と、選択操作を受け付けることでオペレータがＬＣＯ判定結果表示５８を確認した旨の入力を受け付けてＬＣＯ判定結果表示５８を確定させるＬＣＯ判定結果確認ボタン５９と、を表示している。
【００８６】
詳細には、第２表示画面５０は、主要画面部５０ａにおいて、上記した各表示項目を表にして表示している。第２表示画面５０は、主要画面部５０ａにおけるこの表の１番上の行において、左側から順に、「確認項目／運転上の制限」、「担当」、「確認結果」、「次回確認まで」及び「ＬＣＯ判定」と表示している。第２表示画面５０は、主要画面部５０ａにおける「確認項目／運転上の制限」が表示された１番左の列において、上側から順に、確認事項表示５１ａ、ＬＣＯ事項表示５２ａ、確認項目表示５３ａ、確認事項表示５１ｂ、ＬＣＯ事項表示５２ｂ及び確認項目表示５３ｂを表示している。
【００８７】
第２表示画面５０は、図５において、確認事項表示５１ａが「蓄圧タンクのほう素濃度、ほう酸水量及び圧力を確認する。」という情報を示しており、ＬＣＯ事項表示５２ａが「ほう素濃度、ほう酸水量及び圧力が制限値内にあること。」という情報を示しており、確認項目表示５３ａが「ほう素濃度：２，７００ｐｐｍ以上」、「ほう酸水量（有効水量）：２９．０ｍ３以上」及び「圧力：４．０４ＭＰａ以上」という３つの項目の情報を表示している。また、第２表示画面５０は、図５において、確認事項表示５１ｂが「全ての出口隔離弁が前回であることを確認する。」という情報を示しており、ＬＣＯ事項表示５２ｂが「出口隔離弁が全開であること。」という情報を示しており、ＬＣＯ事項表示５２ｂが実質的に確認項目表示５３ｂとしての機能も果たしている。第２表示画面５０は、このように、確認項目表示５３ｂがＬＣＯ事項表示５２ｂに対して１つのみの場合には、ＬＣＯ事項表示５２ｂと確認項目表示５３ｂとをまとめて１つの項目で情報を示している。
【００８８】
また、第２表示画面５０は、主要画面部５０ａにおける１番左の列において、確認項目表示５３ａのうちの一部である上の２つについては、その右端の領域にそれぞれに対応して設けられた補足情報表示ボタン５４を表示している。
【００８９】
第２表示画面５０は、主要画面部５０ａにおいて１番左の列に表示された確認項目表示５３ａ，５３ｂにそれぞれ対応付けられた確認項目表示５３ａ，５３ｂの真っ直ぐ右側の表示位置において、「担当」が表示された左から２番目の列には対応する担当者表示５５を、「確認結果」が表示された左から３番目の列には対応する確認結果表示５６を、「次回確認まで」が表示された左から４番目の列には対応する時間制限表示５７を、「ＬＣＯ判定」が表示された左から５番目すなわち１番右の列には、個別に対応するＬＣＯ判定結果表示５８を、この１番右の列の右側の領域には、全体を考慮したＬＣＯ判定結果表示５８を、それぞれ表示している。
【００９０】
第２表示画面５０は、図５において、担当者表示５５がいずれの確認項目表示５３ａ，５３ｂに対しても「当直課長」という情報を示している。第２表示画面５０は、図５において、確認項目表示５３ａの１項目目に対応する確認結果表示５６が「ＮＯ／ＹＥＳ」において「ＹＥＳ」が選択された旨の情報を示しており、確認項目表示５３ａの２項目目に対応する確認結果表示５６が「ＯＫ」の旨の情報を示しており、確認項目表示５３ａの３項目目に対応する確認結果表示５６が「ＮＧ」の旨の情報を示しており、確認項目表示５３ｂに対応する確認結果表示５６が「ＮＧ」の旨の情報を示している。
【００９１】
第２表示画面５０は、図５において、確認項目表示５３ａの１項目目に対応する時間制限表示５７が「２ｍｏ２５ｄ」と２か月と２５日である旨の情報を示しており、確認項目表示５３ａの２項目目、３項目目及び確認項目表示５３ｂに対応する時間制限表示５７がいずれも「８ｈ００ｍ」と８時間００分である旨の情報を示している。
【００９２】
第２表示画面５０は、図５において、確認項目表示５３ａの１項目目及び２項目目にそれぞれ個別に対応するＬＣＯ判定結果表示５８が「注意を喚起しない色彩の矢印」によってＯＫ、すなわち逸脱していない旨の情報を示しており、確認項目表示５３ａの３項目目及び確認項目表示５３ｂにそれぞれ個別に対応するＬＣＯ判定結果表示５８が「注意を喚起する色彩の矢印」によってＮＧ、すなわち逸脱している旨の情報を示しており、ＮＧが２つあることに基づいて、全体を考慮したＬＣＯ判定結果表示５８が「ＮＧ」すなわち逸脱している旨の情報を示している。
【００９３】
また、第２表示画面５０は、主要画面部５０ａにおいて、全体を考慮したＬＣＯ判定結果表示５８のすぐ下側の表示領域に、ＬＣＯ判定結果確認ボタン５９を表示している。
【００９４】
ここで、確認事項表示５１ａ，５１ｂ、ＬＣＯ事項表示５２ａ，５２ｂ及び確認項目表示５３ａ，５３ｂに係る各事項は、選択操作が実行された保安規定情報の項目によってだけでなく、オペレータが最初に入力した発電プラント２２の運転管理支援に関するモードによっても、適宜定められる。
【００９５】
また、補足情報表示ボタン５４は、各確認項目表示５３ａ，５３ｂのうち、判断が困難であると考えられるもの等、補足情報が必要と考えられる項目について、適宜設けられている。なお、補足情報表示ボタン５４が設けられる確認項目については、予め設定することができる。
【００９６】
また、確認結果表示５６は、演算処理部１６がプラント保安システム２０を含む他の機器から取得する情報に基づいて所定の処理をすることで算出される結果を自動で表示しているが、オペレータの確認結果に基づく手動での修正及び変更を受け付ける。
【００９７】
また、ＬＣＯ判定結果表示５８は、個別の確認項目表示５３ａ，５３ｂに対応する確認結果表示５６の情報等に基づいて導出される個別の確認項目表示５３ａ，５３ｂに対応するＬＣＯ判定結果表示５８を有するとともに、これらの個別に対応するＬＣＯ判定結果表示５８の情報に基づいて導出される全体を考慮したＬＣＯ判定結果表示５８を有する。そして、ＬＣＯ判定結果表示５８は、個別に対応するＬＣＯ判定結果表示５８とＬＣＯ判定結果表示５８とを、その関係性がわかるようにロジック形式で表示している。第２表示画面５０は、図５において、確認項目表示５３ａのうちの一番下の１つに個別に対応するＬＣＯ判定結果表示５８と、確認項目表示５３ｂに個別に対応するＬＣＯ判定結果表示５８とをＮＧで表示しており、これらのＮＧの情報に起因して、全体を考慮したＬＣＯ判定結果表示５８をＮＧで表示するに至っていることを、ロジック形式で示している。
【００９８】
このように、第２表示画面５０は、オペレータが、第１表示画面４０の直後に第１表示画面４０における保安規定情報の項目の選択に応じて表示しているので、オペレータが、発電プラント２２の全体に対する位置付けを意識しながら、発電プラント２２の個別の詳細な情報及びＬＣＯ逸脱に関する情報を、適切に確認、判断及び対応を取ることを可能にしている。
【００９９】
また、第２表示画面５０は、確認事項表示５１ａ，５１ｂ、ＬＣＯ事項表示５２ａ，５２ｂ及び確認項目表示５３ａ，５３ｂを互いに関連付けて表示しているので、オペレータが、これらを互いに分離して個別に認識して処理することを可能にしているため、発電プラント２２に関する複数の情報による混乱を招くことをより確実に低減することを可能にしている。
【０１００】
また、第２表示画面５０は、各確認項目表示５３ａ，５３ｂのうち判断が困難であると考えられるもの等、補足情報が必要と考えられる項目については補足情報表示ボタン５４を付随して表示しているので、オペレータが、その場で複雑な確認項目表示５３ａ，５３ｂについての補足情報をすぐに取得することを可能にしている。
【０１０１】
また、第２表示画面５０は、確認項目表示５３ａ，５３ｂ、担当者表示５５、確認結果表示５６、時間制限表示５７及び個別の確認項目表示５３ａ，５３ｂに対応するＬＣＯ判定結果表示５８が、互いに一対一対応となるように対応付けて表示しているので、オペレータが、これらを互いに分離して個別に認識して処理することを可能にしているため、発電プラント２２に関する複数の情報による混乱を招くことをより確実に低減することを可能にしている。
【０１０２】
また、第２表示画面５０は、確認項目表示５３ａ，５３ｂに個別に対応するＬＣＯ判定結果表示５８と、この個別のＬＣＯ判定結果表示５８に基づいて導出される全体を考慮したＬＣＯ判定結果表示５８と、をその関係性がわかるようにロジック形式で表示しているので、オペレータが、ＬＣＯからの逸脱を引き起こしている発電プラント２２の運転パラメータを容易に判別することを可能にしている。
【０１０３】
また、第２表示画面５０は、ＬＣＯ判定結果確認ボタン５９を表示しており、ＬＣＯ判定結果確認ボタン５９を表示しており、ＬＣＯ判定結果確認ボタン５９の選択を以ってＬＣＯ判定結果表示５８を確定し、その確定した時刻などの情報を記憶部１２が記憶して残して、オペレータがきちんと確認したものだけをＬＣＯ判定結果とすることができるので、装置系の誤作動などによりＬＣＯ判定結果が勝手に出されてしまって発電プラント２２に不要な影響をもたらす可能性を低減することができる。
【０１０４】
第２表示画面５０は、ヘッダ画面部５０ｂにおいて、モード表示４２と、保安規定情報項目表示６１と、確認項目件数表示６２と、を表示している。モード表示４２は、第１表示画面４０に表示されているものと同様である。保安規定情報項目表示６１は、直前の第１表示画面４０において選択操作が実行された項目表示部４１ａ及び対応状況表示部４１ｂが指し示す保安規定情報の項目を表示している。第２表示画面５０は、図５において、保安規定情報項目表示６１が「５０  蓄圧タンク」という情報を示しており、その保安規定情報の項目としての条文番号と、この項目に関するさらなる情報としての条文の名称とを合わせて表示している。このため、オペレータは、保安規定情報項目表示６１を確認することで、常に、直前の第１表示画面４０において選択した保安規定情報ボタン４１に係る保安規定情報の項目及びそのさらなる情報を確認しながら、第２表示画面５０での確認、判断及び対応にあたることができる。
【０１０５】
確認項目件数表示６２は、第２表示画面５０において確認、判断及び対応にあたる必要がある確認項目表示５３ａ，５３ｂの件数を表示している。第２表示画面５０は、図５において、確認項目件数表示６２が「確認項目  ４件」という情報を示している。このため、オペレータは、確認項目件数表示６２を確認することで、第２表示画面５０において確認、判断及び対応にあたる必要がある件数を常に確認することができるので、発電プラント２２に関する重要な情報の見落としを低減することができる。
【０１０６】
第２表示画面５０は、フッタ画面部５０ｃにおいて、ＬＣＯ状態監視ボタン６３と、個別措置管理ボタン６４と、戻るボタン６５と、を表示している。ＬＣＯ状態監視ボタン６３は、選択操作を受け付けることに応じて、表示部１８の表示を、ＬＣＯの状態を監視することが可能な第２表示画面５０に切り替える旨の入力を受け付ける。なお、ＬＣＯ状態監視ボタン６３は、第２表示画面５０においてフッタ画面部５０ｃに表示されている場合、改めて第２表示画面５０に切り替える必要がないため、灰色（図５における暗色）で示されており、選択操作を受け付けない状態にあることを表示している。
【０１０７】
個別措置管理ボタン６４は、選択操作を受け付けることに応じて、表示部１８の表示を、直前の第１表示画面４０において選択操作を実行した項目表示部４１ａ及び対応状況表示部４１ｂが指し示す保安規定情報の項目についての個別の措置の管理をすることが可能な第３表示画面７０に切り替える旨の入力を受け付ける。このため、個別措置管理ボタン６４は、ＬＣＯ逸脱時であって、ＬＣＯ逸脱に関する保安規定情報の項目を直前の第１表示画面４０で選択していた場合、ＬＣＯ逸脱に際して要求される個別の措置の管理をすることが可能な第３表示画面７０に切り替える旨の入力を受け付けるものとなる。戻るボタン６５は、選択操作を受け付けることに応じて、表示部１８の表示を、直前に表示されていた画面に切り替える旨の入力を受け付ける。
【０１０８】
第３表示画面表示ステップＳ５は、第１表示画面４０において選択された保安規定情報において運転条件の制限から逸脱している旨の判定結果が出されている場合、運転条件の制限からの逸脱の状況に応じた要求措置を表示した第３表示画面７０を表示するステップである。第３表示画面表示ステップＳ５は、本実施形態では、例えば、演算処理部１６が、第２表示画面５０において個別措置管理ボタン６４の選択操作を受け付けることに応じて、表示部１８に指令が出されて、演算処理部１６から指令を受けた表示部１８が実行する。
【０１０９】
図６は、図１の発電プラントの運転管理支援装置１０が表示部１８に表示する画面の一例である第３表示画面７０を示す図である。第３表示画面７０は、図６に示すように、第１表示画面４０及び第２表示画面５０と同様にフレーム構造を有しており、第３表示画面７０の中央部分に設けられた主要画面部７０ａと、主要画面部７０ａの上部に設けられたヘッダ画面部７０ｂと、主要画面部７０ａの下部に設けられたフッタ画面部７０ｃと、を含む。第３表示画面７０は、第２表示画面５０において、個別措置管理ボタン６４の選択操作を受け付けることに応じて、第２表示画面５０から切り替えられて表示される。
【０１１０】
第３表示画面７０は、主要画面部７０ａにおいて、第１表示画面４０で選択された保安規定情報においてＬＣＯから逸脱している旨の判定結果が出されている場合、ＬＣＯからの逸脱の状況に応じた要求措置を表示している。具体的には、第３表示画面７０は、主要画面部７０ａにおいて、係るＬＣＯからの逸脱に関する識別番号表示７１と、ＬＣＯからの逸脱の状況に応じた要求措置表示７２と、要求措置表示７２に表示された要求措置の実行状態を表示した実行状態表示７３と、要求措置表示７２のそれぞれに割り当てられた担当者表示７４と、要求措置表示７２のそれぞれに対応され、かつ、全体像がわかるように時間軸で関連付けてまとめて表示した時間管理表示７５と、時間管理表示７５の表示時間スケールを変更する表示時間スケール変更ボタン７６と、要求措置表示７２に表示された要求措置に対して時間管理表示７５に表示された時間内に対応することが困難な場合に次に対応すべき要求措置に表示を切り替える次要求措置表示ボタン７７と、を表示している。
【０１１１】
詳細には、第３表示画面７０は、主要画面部７０ａにおいて、上記した各表示項目を表にして表示している。第３表示画面７０は、主要画面部７０ａにおけるこの表の１番上の行において、左側から順に、「識別番号」、「要求される措置」、「実行」、「担当」及び「完了時間と進捗管理」と表示している。第３表示画面７０は、主要画面部７０ａにおける「識別番号」が表示された１番左の列において、上側から順に、逸脱していると判定されたＬＣＯを識別する番号である識別番号表示７１と、その逸脱していると判定されたＬＣＯに基づいて導出された要求措置を識別する番号である識別番号表示７１と、を表示している。
【０１１２】
第３表示画面７０は、主要画面部７０ａにおいて１番左の列に表示された、逸脱していると判定されたＬＣＯを識別する番号である識別番号表示７１の真っ直ぐ右側の表示位置において、「要求される措置」が表示された左から２番目の列には、そのＬＣＯの適用に至った条件を示している。第３表示画面７０は、主要画面部７０ａにおいて１番左の列に表示された、要求措置を識別する番号である識別番号表示７１にそれぞれ対応付けられたこの識別番号表示７１の真っ直ぐ右側の表示位置において、「要求される措置」が表示された左から２番目の列には対応する要求措置表示７２を、「実行」が表示された左から３番目の列には対応する実行状態表示７３を、「担当」が表示された左から４番目の列には対応する担当者表示７４を、「完了時間と進捗管理」が表示された左から５番目すなわち１番右の列には対応する時間管理表示７５を、それぞれ表示している。すなわち第３表示画面７０は、主要画面部７０ａにおいて、左から２番目の列に、ＬＣＯの適用に至った条件と、要求措置表示７２とを、それぞれ縦方向に配列して表示している。また、第３表示画面７０は、主要画面部７０ａにおいて、実行状態表示７３の上側の領域には次要求措置表示ボタン７７を、時間管理表示７５の上側の領域には表示時間スケール変更ボタン７６を、それぞれ表示している。
【０１１３】
第３表示画面７０は、図６において、逸脱していると判定されたＬＣＯを識別する番号である識別番号表示７１が「Ｂ」と示しており、その逸脱していると判定されたＬＣＯに基づいて導出された要求措置を識別する番号である識別番号表示７１が「Ｂ−１」と上記の「Ｂ」に付随する識別番号を示している。第３表示画面７０は、図６において、「Ｂ」の表示の真っ直ぐ右側に表示されたＬＣＯの適用に至った条件が「蓄圧タンク１基が条件Ａ以外の理由により、運転上の制限を満足していない場合」という情報を示しており、「Ｂ−１」の表示の真っ直ぐ右側に表示された要求措置表示７２が「当直課長は、当該蓄圧タンクの運転上の制限を満足させる。」という情報を示している。
【０１１４】
第３表示画面７０は、図６において、実行状態表示７３が「開始／完了」の情報をいずれか一方を選択可能に示しており、担当者表示７４が「当直課長」という情報を示している。また、第３表示画面７０は、図６において、時間管理表示７５が、「８：００」、「進行中」及び「５６ｍｉｎ」等から、８時００分から現在まで要求措置表示７２に表示された要求措置を進行中であり、その要求措置を完了するまでに与えられた残り時間が５６分である旨の情報を示している。
【０１１５】
ここで、要求措置表示７２に表示される要求措置、すなわちＬＣＯに基づいて導出された要求措置は、制御装置２４及び保守ツール２６が設置された中央制御室の状況、及び、現場での対応状況を適宜反映したものとなっている。
【０１１６】
また、実行状態表示７３は、要求措置表示７２に表示された要求措置の対応を開始すると、オペレータは速やかに「開始」の旨の入力を行い、要求措置表示７２に表示された要求措置の対応を完了すると、オペレータは速やかに「完了」の旨の入力を行うものとなっている。
【０１１７】
また、時間管理表示７５は、要求措置表示７２に表示された要求措置に対する対応の進捗状況、例えば実行状態表示７３の表示の状況に基づいて、適宜更新される。表示時間スケール変更ボタン７６は、要求措置表示７２に表示された要求措置の項目ごとに時間スケールが異なることに対応して設けられたものであり、時間、日、週、等のスケールに変更することができる。
【０１１８】
また、次要求措置表示ボタン７７は、左向きの矢印のボタンと、右向きの矢印のボタンとを有しており、左向きの矢印のボタンは、直前に表示させていた要求措置表示７２等に表示を戻す旨の入力を受け付けるボタンであり、右向きの矢印のボタンは、要求措置表示７２に表示された要求措置に対して時間管理表示７５に表示された時間内に対応することが困難な場合に次に対応すべき要求措置に表示を切り替える旨の入力を受け付けるボタンである。次要求措置表示ボタン７７は、初期においては、表示の戻す先がないため、左向きの矢印のボタンが灰色（図６における暗色）で示されており、選択操作を受け付けない状態にあることを表示している。
【０１１９】
このように、第３表示画面７０は、オペレータが、第１表示画面４０の直後に第２表示画面５０を経て第１表示画面４０における保安規定情報の項目の選択に応じて表示しているので、オペレータが、発電プラント２２の全体に対する位置付けを意識しながら、発電プラント２２の個別の詳細な情報及びＬＣＯ逸脱に関する情報を、適切に確認、判断及び対応を取ることを可能にしている。
【０１２０】
また、第３表示画面７０は、要求措置表示７２が、ＬＣＯから逸脱している旨の判定結果が出されている場合、ＬＣＯからの逸脱の状況に応じた要求措置のみを表示しているので、すなわち、対応する必要があるＬＣＯに基づいて導出された要求措置のみを表示しているので、オペレータが、対応する必要がある要求措置のみを個別に認識して処理することを可能にしているため、発電プラント２２に関する複数の情報による混乱を招くことをより確実に低減することを可能にしている。
【０１２１】
また、第３表示画面７０は、実行状態表示７３が、オペレータに対して、要求措置表示７２に表示された要求措置に対する対応の状態を求めるものとなっているので、オペレータが、対応する必要がある要求措置のみを個別に認識して処理することを可能にしているため、発電プラント２２に関する複数の情報による混乱を招くことをより確実に低減することを可能にしている。
【０１２２】
また、第３表示画面７０は、要求措置表示７２、実行状態表示７３、担当者表示７４及び時間管理表示７５が互いに一対一対応となるように対応付けて表示しているので、オペレータが、これらを互いに分離して個別に認識して処理することを可能にしているため、発電プラント２２に関する複数の情報による混乱を招くことをより確実に低減することを可能にしている。
【０１２３】
また、第３表示画面７０は、表示時間スケール変更ボタン７６により時間管理表示７５の時間スケールを適宜変更できるので、オペレータが、要求措置表示７２に表示された要求措置に応じて、対応にあたってより好ましい時間スケールの表示を適宜選択することを可能にしている。
【０１２４】
また、第３表示画面７０は、次要求措置表示ボタン７７により、要求措置表示７２に表示された要求措置に対する対応が困難な場合に、次に対応すべき要求措置をすぐに表示させることができるので、オペレータが、要求措置に対する対応に困惑して次に対応すべきことの対応に支障を来すことを確実に低減することを可能にしている。
【０１２５】
第３表示画面７０は、ヘッダ画面部７０ｂにおいて、モード表示４２と、保安規定情報項目表示６１と、要求措置項目件数表示７８と、を表示している。モード表示４２は、第１表示画面４０及び第２表示画面５０に表示されているものと同様である。保安規定情報項目表示６１は、第２表示画面５０に表示されているものと同様である。
【０１２６】
要求措置項目件数表示７８は、第３表示画面７０において確認、判断及び対応にあたる必要がある要求措置表示７２の件数を表示している。第３表示画面７０は、図６において、要求措置項目件数表示７８が「要求措置  １件」という情報を示している。このため、オペレータは、要求措置項目件数表示７８を確認することで、第３表示画面７０において確認、判断及び対応にあたる必要がある件数を常に確認することができるので、発電プラント２２に関する重要な情報の見落としを低減することができる。
【０１２７】
第３表示画面７０は、フッタ画面部７０ｃにおいて、第２表示画面５０のフッタ画面部５０ｃと同様に、ＬＣＯ状態監視ボタン６３と、個別措置管理ボタン６４と、戻るボタン６５と、を表示している。ＬＣＯ状態監視ボタン６３、個別措置管理ボタン６４及び戻るボタン６５は、いずれも、第２表示画面５０に表示されているものと同様である。なお、個別措置管理ボタン６４は、第３表示画面７０においてフッタ画面部７０ｃに表示されている場合、改めて第３表示画面７０に切り替える必要がないため、灰色（図６における暗色）で示されており、選択操作を受け付けない状態にあることを表示している。
【０１２８】
第４表示画面表示ステップＳ６は、表示部１８が、演算処理部１６からの指令に応じて、例えば、第１表示画面４０において実行される操作に応じて、運転条件の制限を逸脱しない通常時の対応項目を集約して表示した第４表示画面８０を表示するステップである。第４表示画面表示ステップＳ６は、本実施形態では、例えば、演算処理部１６が、第１表示画面４０において通常時対応項目一覧ボタン４５の選択操作を受け付けることに応じて、表示部１８に指令が出されて、演算処理部１６から指令を受けた表示部１８が実行する。
【０１２９】
図７は、図１の発電プラントの運転管理支援装置１０が表示部１８に表示する画面の一例である第４表示画面８０を示す図である。第４表示画面８０は、図７に示すように、第１表示画面４０、第２表示画面５０及び第３表示画面７０と同様にフレーム構造を有しており、第４表示画面８０の中央部分に設けられた主要画面部８０ａと、主要画面部８０ａの上部に設けられたヘッダ画面部８０ｂと、主要画面部８０ａの下部に設けられたフッタ画面部８０ｃと、を含む。第４表示画面８０は、第１表示画面４０及び後述する第５表示画面９０において、通常時対応項目一覧ボタン４５の選択操作を受け付けることに応じて、第１表示画面４０及び第５表示画面９０から切り替えられて表示される。
【０１３０】
第４表示画面８０は、主要画面部８０ａにおいて、ＬＣＯから逸脱していない通常時の対応項目を集約して表示している。具体的には、第４表示画面８０は、主要画面部８０ａにおいて、通常時対応項目表示８１と、時間管理表示８２と、通常時対応項目表示８１を保安規定情報の項目順または対応すべき時刻が早い順である時間順に配列を変更する配列変更ボタン８３と、を表示している。なお、第４表示画面８０は、ヘッダ画面部８０ｂにおいて時間管理表示８２の表示時間スケールを変更する表示時間スケール変更ボタン８４を表示しているが、本発明はこれに限定されず、主要画面部８０ａにおいて表示時間スケール変更ボタン８４を表示する形態であってもよい。
【０１３１】
詳細には、第４表示画面８０は、主要画面部８０ａにおいて、上記した各表示項目を表にして表示している。第４表示画面８０は、主要画面部８０ａにおける左側の表示領域に、複数の通常時対応項目表示８１を縦方向に配列して表示している。第４表示画面８０は、主要画面部８０ａにおける中央から右側の表示領域には、通常時対応項目表示８１のそれぞれの真っ直ぐ右側の表示位置において、それぞれの通常時対応項目表示８１に表示された通常時対応項目に対応する時間管理表示８２を縦方向に配列して表示している。
【０１３２】
通常時対応項目表示８１は、保安規定情報の項目を表示する項目表示部８１ａと、項目表示部８１ａに表示された保安規定情報の項目に関する対応項目を表示する対応項目表示部８１ｂと、を有する。項目表示部８１ａは、保安規定情報の項目として条文番号を表示している。対応項目表示部８１ｂは、対応項目を簡潔に記載しており、例えば、条文の名称が用いられる。通常時対応項目表示８１は、選択操作を受け付けることで、対応項目表示部８１ｂに表示された対応項目に関する詳細な情報を表示するものとしても良い。
【０１３３】
時間管理表示８２は、時間管理表示７５と同様に、通常時対応項目表示８１のそれぞれに対応され、かつ、全体像がわかるように時間軸で関連付けてまとめて表示したものであり、対応要求時間表示８２ａと、対応非要求時間表示８２ｂと、を有する。対応要求時間表示８２ａは、対応する通常時対応項目表示８１に表示された対応項目に関する対応が要求される時間を表示しており、対応を開始する瞬間を表示する丸印の表示と、対応を実行する期間を表示する濃色の帯状の表示と、で構成されている。対応非要求時間表示８２ｂは、対応する通常時対応項目表示８１に表示された対応項目に関する対応が要求されない時間を表示しており、対応を実行しない期間を表示する薄色の帯状の表示と、で構成されている。
【０１３４】
第４表示画面８０は、図７において、配列変更ボタン８３が「番号／時間」の情報をいずれか一方を選択可能に示している。配列変更ボタン８３は、「番号」の選択操作を受け付けると、通常時対応項目表示８１を保安規定情報の項目である条文番号が小さい順に上から配列されるように、配列を変更する。また、配列変更ボタン８３は、「時間」の選択操作を受け付けると、通常時対応項目表示８１に対応する時間管理表示８２において対応要求時間表示８２ａが現在に迫ってきている順に上から配列されるように、配列を変更する。
【０１３５】
表示時間スケール変更ボタン８４は、表示時間スケール変更ボタン７６と同様に、通常時対応項目表示８１に表示された対応項目ごとに時間スケールが異なることに対応して設けられたものであり、時間、日、週、等のスケールに変更することができる。
【０１３６】
このように、第４表示画面８０は、オペレータが、通常時対応項目表示８１を、保安規定情報の項目と対応項目とを関連付けて羅列して表示しているので、オペレータが、発電プラント２２の全体に対する位置付けを意識しながら、運転条件の制限を逸脱しない通常時の対応項目を、適切に確認、判断及び対応を取ることを可能にしている。
【０１３７】
また、第４表示画面８０は、配列変更ボタン８３により、通常時対応項目表示８１を保安規定情報の項目である条文番号が小さい順に上から配列されるように配列を変更したり、通常時対応項目表示８１に対応する時間管理表示８２において対応要求時間表示８２ａが現在に迫ってきている順に上から配列されるように配列を変更したりすることができる。このため、第４表示画面８０は、オペレータが、発電プラント２２の全体に対する位置付けを意識しながら、対応する必要がある対応項目のみを個別に認識して処理することを可能にしているため、発電プラント２２に関する複数の情報による混乱を招くことをより確実に低減することを可能にしている。
【０１３８】
また、第４表示画面８０は、通常時対応項目表示８１及び時間管理表示８２が互いに一対一対応となるように対応付けて表示しているので、オペレータが、これらを互いに分離して個別に認識して処理することを可能にしているため、発電プラント２２に関する複数の情報による混乱を招くことをより確実に低減することを可能にしている。
【０１３９】
また、第４表示画面８０は、表示時間スケール変更ボタン８４により時間管理表示８２の時間スケールを適宜変更できるので、オペレータが、通常時対応項目表示８１に表示された対応項目に応じて、対応にあたってより好ましい時間スケールの表示を適宜選択することを可能にしている。
【０１４０】
第４表示画面８０は、ヘッダ画面部８０ｂにおいて、モード表示４２と、表示時間スケール変更ボタン８４と、を表示している。モード表示４２は、第１表示画面４０、第２表示画面５０及び第３表示画面７０に表示されているものと同様である。なお、第４表示画面８０は、通常時の対応に関する画面であるため、対応項目の件数が有限であるとは限らないため、件数に関する表示をしていない。また、第４表示画面８０は、図７において、モード表示４２がモード５を示しており、第１表示画面４０、第２表示画面５０及び第３表示画面７０のモード１とは異なっているが、これは、ＬＣＯから逸脱していない通常時の画面を説明する説明上の都合によるものであり、画面に切り替えによってモード表示４２が切り替わることを説明しているものではない。
【０１４１】
第４表示画面８０は、フッタ画面部８０ｃにおいて、第１表示画面４０のフッタ画面部４０ｃと同様に、ＬＣＯ全体監視ボタン４４と、通常時対応項目一覧ボタン４５と、要求措置一覧ボタン４６と、条文一覧ボタン４７と、を表示している。ＬＣＯ全体監視ボタン４４、通常時対応項目一覧ボタン４５、要求措置一覧ボタン４６及び条文一覧ボタン４７は、いずれも、第１表示画面４０に表示されているものと同様である。なお、通常時対応項目一覧ボタン４５は、第４表示画面８０においてフッタ画面部８０ｃに表示されている場合、改めて第４表示画面８０に切り替える必要がないため、灰色（図７における暗色）で示されており、選択操作を受け付けない状態にあることを表示している。
【０１４２】
第５表示画面表示ステップＳ７は、表示部１８が、演算処理部１６からの指令に応じて、例えば、第１表示画面４０において実行される操作に応じて、運転条件の制限から逸脱している可能性がある場合の要求措置を集約して表示した第５表示画面９０を表示するステップである。第５表示画面表示ステップＳ７は、本実施形態では、例えば、演算処理部１６が、第１表示画面４０において要求措置一覧ボタン４６の選択操作を受け付けることに応じて、表示部１８に指令が出されて、演算処理部１６から指令を受けた表示部１８が実行する。
【０１４３】
図８は、図１の発電プラントの運転管理支援装置１０が表示部１８に表示する画面の一例である第５表示画面９０を示す図である。第５表示画面９０は、図８に示すように、第１表示画面４０、第２表示画面５０、第３表示画面７０及び第４表示画面８０と同様にフレーム構造を有しており、第５表示画面９０の中央部分に設けられた主要画面部９０ａと、主要画面部９０ａの上部に設けられたヘッダ画面部９０ｂと、主要画面部９０ａの下部に設けられたフッタ画面部９０ｃと、を含む。第５表示画面９０は、第１表示画面４０及び第４表示画面８０において、要求措置一覧ボタン４６の選択操作を受け付けることに応じて、第１表示画面４０及び第４表示画面８０から切り替えられて表示される。
【０１４４】
第５表示画面９０は、主要画面部９０ａにおいて、ＬＣＯから逸脱している可能性がある場合の要求措置を集約して表示している。具体的には、第５表示画面９０は、主要画面部９０ａにおいて、要求措置項目表示９１と、時間管理表示９２と、を表示している。なお、第５表示画面９０は、要求措置項目表示９１を保安規定情報の項目順または対応すべき時刻が早い順である時間順に配列を変更する、上記した第４表示画面８０における配列変更ボタン８３と同様の配列変更ボタンを、さらに表示してもよい。また、第５表示画面９０は、ヘッダ画面部９０ｂにおいて時間管理表示９２の表示時間スケールを変更する表示時間スケール変更ボタン９４を表示しているが、本発明はこれに限定されず、主要画面部９０ａにおいて表示時間スケール変更ボタン９４を表示する形態であってもよい。
【０１４５】
詳細には、第５表示画面９０は、主要画面部９０ａにおいて、上記した各表示項目を表にして表示している。第５表示画面９０は、主要画面部９０ａにおける左側の表示領域に、複数の要求措置項目表示９１を縦方向に配列して表示している。第５表示画面９０は、主要画面部９０ａにおける中央から右側の表示領域には、要求措置項目表示９１のそれぞれの真っ直ぐ右側の表示位置において、それぞれの要求措置項目表示９１に表示された要求措置項目に対応する時間管理表示９２を縦方向に配列して表示している。
【０１４６】
要求措置項目表示９１は、保安規定情報の項目を表示する項目表示部９１ａと、項目表示部９１ａに表示された保安規定情報の項目に関する要求措置項目を表示する要求措置項目表示部９１ｂと、を有する。項目表示部９１ａは、保安規定情報の項目として条文番号を表示している。要求措置項目表示部９１ｂは、要求措置項目を簡潔に記載しており、例えば、条文の名称が用いられる。要求措置項目表示９１は、選択操作を受け付けることで、対応する保安規定情報の項目に関する第２表示画面５０を表示し、この第２表示画面５０を、第５表示画面９０から表示を切り替えて表示しても、第５表示画面９０からポップアウトした新たな画面に表示しても良い。
【０１４７】
時間管理表示９２は、時間管理表示７５及び時間管理表示８２と同様に、要求措置項目表示９１のそれぞれに対応され、かつ、全体像がわかるように時間軸で関連付けてまとめて表示したものであり、対応要求時間帯表示９２ａと、対応要求時刻表示９２ｂと、を有する。対応要求時間帯表示９２ａは、対応する要求措置項目表示９１に表示された要求措置項目に関する対応が要求される時間帯を表示しており、対応を実行する期間を表示する濃色の帯状の表示で構成されている。対応要求時刻表示９２ｂは、対応する要求措置項目表示９１に表示された要求措置項目に関する対応が要求される瞬間の時刻を表示しており、対応する瞬間を表示する丸印の表示で構成されている。対応要求時間帯表示９２ａ及び対応要求時刻表示９２ｂは、対応すべき時刻が迫っているものについては、オペレータが十分に警告を感じる程度の表示、例えば赤色で表示することが好ましい。
【０１４８】
表示時間スケール変更ボタン９４は、表示時間スケール変更ボタン７６及び表示時間スケール変更ボタン８４と同様に、要求措置項目表示９１に表示された要求措置の項目ごとに時間スケールが異なることに対応して設けられたものであり、時間、日、週、等のスケールに変更することができる。
【０１４９】
このように、第５表示画面９０は、オペレータが、要求措置項目表示９１を、保安規定情報の項目と要求措置項目とを関連付けて羅列して表示しているので、オペレータが、発電プラント２２の全体に対する位置付けを意識しながら、ＬＣＯを逸脱している可能性がある場合の要求措置項目を、適切に確認、判断及び対応を取ることを可能にしている。
【０１５０】
また、第５表示画面９０は、要求措置項目表示９１及び時間管理表示９２が互いに一対一対応となるように対応付けて表示しているので、オペレータが、これらを互いに分離して個別に認識して処理することを可能にしているため、発電プラント２２に関する複数の情報による混乱を招くことをより確実に低減することを可能にしている。
【０１５１】
また、第５表示画面９０は、表示時間スケール変更ボタン９４により時間管理表示９２の時間スケールを適宜変更できるので、オペレータが、要求措置項目表示９１に表示された要求措置項目に応じて、対応にあたってより好ましい時間スケールの表示を適宜選択することを可能にしている。
【０１５２】
また、第５表示画面９０は、要求措置項目表示９１の選択操作を受け付けることで、対応する保安規定情報の項目に関する第２表示画面５０を表示することができるので、オペレータが、発電プラント２２の全体に対する位置付けを意識しながら、ＬＣＯを逸脱している可能性がある場合の要求措置項目を、その項目ごとに個別に詳細の情報を取得して、適切に確認、判断及び対応を取ることを可能にしている。
【０１５３】
第５表示画面９０は、ヘッダ画面部９０ｂにおいて、モード表示４２と、表示時間スケール変更ボタン９４と、要求措置項目件数表示９５と、を表示している。モード表示４２は、第１表示画面４０、第２表示画面５０、第３表示画面７０及び第４表示画面８０に表示されているものと同様である。
【０１５４】
要求措置項目件数表示９５は、要求措置項目件数表示７８とほぼ同様であり、第５表示画面９０において確認、判断及び対応にあたる必要がある要求措置項目表示９１の件数を表示している。第５表示画面９０は、図８において、要求措置項目件数表示９５が「対応期限が迫っている要求措置が４件あります。至急確認して下さい。」という情報を示している。このため、オペレータは、要求措置項目件数表示９５を確認することで、第５表示画面９０において、対応期限が迫っている要求措置を確認、判断及び対応にあたる必要がある件数を常に確認することができるので、発電プラント２２に関する重要な情報の見落としを低減することができる。
【０１５５】
第５表示画面９０は、フッタ画面部９０ｃにおいて、第１表示画面４０のフッタ画面部４０ｃ及び第４表示画面８０のフッタ画面部８０ｃとほぼ同様に、ＬＣＯ全体監視ボタン４４と、通常時対応項目一覧ボタン４５と、要求措置一覧ボタン４６と、を表示している。ＬＣＯ全体監視ボタン４４、通常時対応項目一覧ボタン４５及び要求措置一覧ボタン４６は、いずれも、第１表示画面４０及び第４表示画面８０に表示されているものと同様である。なお、要求措置一覧ボタン４６は、第５表示画面９０においてフッタ画面部９０ｃに表示されている場合、改めて第５表示画面９０に切り替える必要がないため、灰色（図８における暗色）で示されており、選択操作を受け付けない状態にあることを表示している。また、第５表示画面９０は、フッタ画面部９０ｃにおいて、第１表示画面４０のフッタ画面部４０ｃ及び第４表示画面８０のフッタ画面部８０ｃとは異なり、条文一覧ボタン４７を表示していないが、このことは、第５表示画面９０に複数表示されている要求措置項目表示９１の選択操作を受け付けることで、対応する保安規定情報の項目に関する第２表示画面５０を表示することができるため、条文一覧ボタン４７の必要性が薄いことに伴うものである。
【０１５６】
発電プラントの運転管理支援装置１０及び発電プラントの運転管理支援装置１０により実行される発電プラントの運転管理支援方法は、以上のように、表示部１８が、保安規定情報格納部１３に格納されている保安規定情報の項目を集約し、保安規定情報抽出部１７が抽出した保安規定情報の項目を識別可能に表示した第１表示画面４０を表示するため、発電プラント２２の全体の運転状態を俯瞰することができ、結果として、発電プラント２２に関する重要な情報の見落とし、及び、発電プラント２２に関する複数の情報による混乱を招くことを低減することができる。また、発電プラントの運転管理支援装置１０及び発電プラントの運転管理支援装置１０により実行される発電プラントの運転管理支援方法は、表示部１８が、第１表示画面４０において実行される保安規定情報の項目の選択操作に応じて、選択された保安規定情報に関連し、発電プラント２２の運転パラメータを含む個別の詳細な確認項目と、確認項目に基づく運転条件の制限の逸脱の判定結果と、を表示した第２表示画面５０を表示し、また、選択された保安規定情報において運転条件の制限から逸脱している旨の判定結果が出されている場合、運転条件の制限からの逸脱の状況に応じた要求措置を表示した第３表示画面７０を表示するため、発電プラント２２の全体に対する位置付けを意識しながら、発電プラント２２の個別の詳細な情報及びＬＣＯ逸脱に関する情報を、適切に確認、判断及び対応を取ることができる。
【０１５７】
発電プラントの運転管理支援装置１０及び発電プラントの運転管理支援装置１０により実行される発電プラントの運転管理支援方法は、保安規定情報の項目として保安規定の条文番号を採用しているので、発電プラント２２における諸規則をまとめた保安規定に直接対応付けて、発電プラント２２の全体の運転状態を俯瞰することを可能にする。
【０１５８】
発電プラントの運転管理支援装置１０及び発電プラントの運転管理支援装置１０により実行される発電プラントの運転管理支援方法は、表示部１８が、さらに、第１表示画面４０において実行される操作に応じて、運転条件の制限を逸脱しない通常時の対応項目を集約して表示した第４表示画面８０を表示している。このため、発電プラントの運転管理支援装置１０及び発電プラントの運転管理支援装置１０により実行される発電プラントの運転管理支援方法は、発電プラント２２の全体に対する位置付けを意識しながら、運転条件の制限を逸脱しない通常時の対応項目を、適切に確認、判断及び対応を取ることができる。
【０１５９】
発電プラントの運転管理支援装置１０及び発電プラントの運転管理支援装置１０により実行される発電プラントの運転管理支援方法は、保安規定情報抽出部１７が、保安規定に基づく運転条件の制限を逸脱している可能性がある場合、保安規定情報として、運転条件の制限の逸脱に関連する保安規定の条文を抽出し、表示部１８が、運転条件の制限の逸脱の根拠として条文をさらに表示することができる。このため、発電プラントの運転管理支援装置１０及び発電プラントの運転管理支援装置１０により実行される発電プラントの運転管理支援方法は、発電プラント２２の全体に対する位置付けを意識しながら、ＬＣＯ逸脱に関する詳細な情報を、ＬＣＯ逸脱の根拠となる関連する条文に基づいて、詳細に、適切に確認、判断及び対応を取ることができる。
【０１６０】
発電プラントの運転管理支援装置１０及び発電プラントの運転管理支援装置１０により実行される発電プラントの運転管理支援方法は、保安規定情報抽出部１７が、保安規定に基づく運転条件の制限を逸脱している可能性がある場合、さらに、保安規定情報として、運転条件の制限の逸脱に直接関連する保安規定の条文に併せて、運転条件の制限の逸脱の結果として派生して関連する保安規定の条文を抽出し、表示部１８が、さらに、運転条件の制限の逸脱の根拠としての保安規定の条文に併せて、運転条件の制限の逸脱の結果として派生する根拠としての関連の保安規定の条文をさらに表示することができる。このため、発電プラントの運転管理支援装置１０及び発電プラントの運転管理支援装置１０により実行される発電プラントの運転管理支援方法は、発電プラント２２の全体に対する位置付けを意識しながら、ＬＣＯ逸脱に関する詳細な情報を、ＬＣＯ逸脱の根拠となる条文に加えて、ＬＣＯ逸脱の結果として派生する根拠となる関連の条文に基づいて、さらに詳細に、適切に確認、判断及び対応を取ることができる。
【０１６１】
発電プラントの運転管理支援装置１０及び発電プラントの運転管理支援装置１０により実行される発電プラントの運転管理支援方法は、保安規定情報抽出部１７が、保安規定に基づく運転条件の制限を逸脱している可能性がある場合、保安規定情報として、運転条件の制限の逸脱に関連する保安規定の条文を抽出し、運転条件の制限の逸脱についての許容待機除外時間における、発電プラント２２の全体についての運転条件の制限に対する判定結果または逸脱状態、発電プラント２２の一部についての運転条件の制限に対する判定結果または逸脱状態、もしくは、要求措置に基づく対応をした発電プラント２２についての運転条件の制限に対する判定結果または逸脱状態を、自動的に記録するものである。このため、発電プラントの運転管理支援装置１０及び発電プラントの運転管理支援装置１０により実行される発電プラントの運転管理支援方法は、発電プラント２２の全体に対する位置付けがわかる状態で関連条文と合わせてＬＣＯ逸脱に関する情報を記録することができるので、後から、発電プラント２２の全体に対する位置付けを意識しながら、ＬＣＯ逸脱について見直したり、類似例に対して活用したりすることができる。
【０１６２】
発電プラントの運転管理支援装置１０及び発電プラントの運転管理支援装置１０により実行される発電プラントの運転管理支援方法は、運転条件の制限を逸脱しない通常時において、保安規定情報格納部１３に格納された定期確認時間を読み込み、定期確認時間ごとに自動的に発電プラント２２の状態を記録するものである。このため、発電プラントの運転管理支援装置１０及び発電プラントの運転管理支援装置１０により実行される発電プラントの運転管理支援方法は、発電プラント２２の全体に対する位置付けがわかる状態でＬＣＯから逸脱していない通常時における情報を記録することができるので、後から、発電プラント２２の全体に対する位置付けを意識しながら、見直したり活用したりすることができる。
【符号の説明】
【０１６３】
１０  発電プラントの運転管理支援装置
１２  記憶部
１３  保安規定情報格納部
１４  入力部
１６  演算処理部
１７  保安規定情報抽出部
１８  表示部
２０  プラント保安システム
２２  発電プラント
２４  制御装置
２６  保守ツール
３２  原子炉
３２ａ  温度計
３４  蒸気発生器
３４ａ  水位計測器
３６  加圧器
３６ａ  圧力計
３８  蓄圧タンク
３８ａ  計測系
３９  制御ユニット
４０  第１表示画面
４０ａ，５０ａ，７０ａ，８０ａ，９０ａ  主要画面部
４０ｂ，５０ｂ，７０ｂ，８０ｂ，９０ｂ  ヘッダ画面部
４０ｃ，５０ｃ，７０ｃ，８０ｃ，９０ｃ  フッタ画面部
４１  保安規定情報ボタン
４１ａ  項目表示部
４１ｂ  対応状況表示部
４１ｃ  条文名称表示受付部
４２  モード表示
４３  告知表示
４４  ＬＣＯ全体監視ボタン
４５  通常時対応項目一覧ボタン
４６  要求措置一覧ボタン
４７  条文一覧ボタン
５０  第２表示画面
５１ａ，５１ｂ  確認事項表示
５２ａ，５２ｂ  ＬＣＯ事項表示
５３ａ，５３ｂ  確認項目表示
５４  補足情報表示ボタン
５５，７４  担当者表示
５６  確認結果表示
５７  時間制限表示
５８  ＬＣＯ判定結果表示
５９  ＬＣＯ判定結果確認ボタン
６１  保安規定情報項目表示
６２  確認項目件数表示
６３  ＬＣＯ状態監視ボタン
６４  個別措置管理ボタン
６５  戻るボタン
７０  第３表示画面
７１  識別番号表示
７２  要求措置表示
７３  実行状態表示
７５，８２  時間管理表示
７６，８４，９４  表示時間スケール変更ボタン
７７  次要求措置表示ボタン
７８，９５  要求措置項目件数表示
８０  第４表示画面
８１  通常時対応項目表示
８１ａ，９１ａ  項目表示部
８１ｂ  対応項目表示部
８２ａ  対応要求時間表示
８２ｂ  対応非要求時間表示
８３  配列変更ボタン
９０  第５表示画面
９１  要求措置項目表示
９１ｂ  要求措置項目表示部
９２  時間管理表示
９２ａ  対応要求時間帯表示
９２ｂ  対応要求時刻表示
【図１】
2020061096.tif 000003
【図２】
2020061096.tif 000004
【図３】
2020061096.tif 000005
【図４】
2020061096.tif 000006
【図５】
2020061096.tif 000007
【図６】
2020061096.tif 000008
【図７】
2020061096.tif 000009
【図８】
2020061096.tif 000010